(57)【要約】【課題】ユーザが複数の動作モードの中から１の動作モードを適切に選択する。【解決手段】画像形成装置の動作モードを選択するホーム画面６０００には、画像形成系であるコピーモードを選択するためのアイコン６２４２を中心に、画像送信系で頻度高く選択されるために優先されるＦＡＸモードを選択するためのアイコン６２４４と、画像送信系の他の動作モードを直接的に選択するアイコン６２３０、アイコン６２３２、アイコン６２３４、アイコン６２４０、アイコン６２５０、アイコン６２５２およびアイコン６２５４とが表示される。画像送信系モードの条件設定画面には、他の画像送信系モードへ移行するためのソフトウェアボタンが表示される。【選択図】図６
2011210009.tif 000002
【特許請求の範囲】
【請求項１】
複数のモードの中からユーザにより選択された１のモードで動作する制御対象装置に備えられる操作機器であって、
前記複数のモードに対応した複数の情報項目を、モードの優先度および制御対象装置からの出力の違いのいずれかを考慮して整列させて表示するための表示手段と、
前記表示手段に重ねて配置され、ユーザの指先が触れた位置に表示された情報項目に基づき、ユーザが選択したモードを検出するための検出手段と、
前記表示手段を制御するための表示制御手段とを含む、操作機器。
【請求項２】
前記モードは２以上の通信モードを含み、
前記表示制御手段は、２以上の通信モードの中で優先される通信モードのひとつを選択するための情報項目と、前記２以上の通信モードのいずれかを選択するための複数の情報項目とを表示するための手段を含む、請求項１に記載の操作機器。
【請求項３】
前記表示制御手段は、
優先される通信モードが選択されると画面を切り換えて、選択された通信モードにおける条件設定画面を表示するための手段と、
前記条件設定画面に他の通信モードへ移行するための情報項目を表示するための手段とをさらに含む、請求項２に記載の操作機器。
【請求項４】
前記モードは非通信モードおよび２以上の通信モードを含み、
前記表示制御手段は、
非通信モードを選択するための第１の情報項目と、通信モードを選択するための複数の第２の情報項目とを表示するための手段と、
前記第２の情報項目を前記第１の情報項目の周囲に整列して表示するための手段とを含む、請求項１に記載の操作機器。
【請求項５】
前記表示制御手段は、前記第２の情報項目として、２以上の通信モードの中で優先される通信モードのひとつを選択するための第３の情報項目と、前記２以上の通信モードのいずれかを選択するための複数の第４の情報項目とを表示するための手段を含む、請求項４に記載の操作機器。
【請求項６】
前記表示制御手段は、前記第３の情報項目を前記第４の情報項目よりもユーザに近い位置に表示するための手段を含む、請求項５に記載の操作機器。
【請求項７】
前記表示制御手段は、前記第３の情報項目に触れるユーザの手により前記第４の情報項目が隠れないように、前記第３の情報項目および前記第４の情報項目を表示するための手段を含む、請求項５に記載の操作機器。
【請求項８】
前記表示手段および前記検出手段は、タッチパネルディスプレイである、請求項１〜請求項７のいずれかに記載の操作機器。
【請求項９】
請求項１〜請求項８のいずれかに記載の操作機器を備えた電子機器。
【請求項１０】
請求項１〜請求項８のいずれかに記載の操作機器を備えた画像処理装置。
【請求項１１】
前記制御対象装置である画像処理装置からの出力の違いは、記録用紙を印刷出力とデータを送信出力との違いである、請求項１０に記載の画像処理装置。
【請求項１２】
前記通信モードは画像通信モードであって、
２以上の通信モードを備える場合には、前記通信モードは通信経路が相違する、請求項１０に記載の画像処理装置。
【請求項１３】
前記通信モードは画像通信モードであって、
２以上の通信モードの中で優先される通信モードを備える場合には、前記優先される通信モードはユーザにより設定されるモードである、請求項１０に記載の画像処理装置。
【請求項１４】
前記通信モードは画像通信モードであって、
前記モードに非通信モードを含む場合には、前記非通信モードは画像形成モードである、請求項１０に記載の画像処理装置。
【請求項１５】
複数のモードの中からユーザにより選択された１のモードで動作する制御対象装置に備えられる操作機器における情報表示方法であって、
前記複数のモードに対応した複数の情報項目を、モードの優先度および制御対象装置からの出力の違いのいずれかを考慮して整列させて表示パネルに表示する表示ステップと、
前記表示パネルに重ねて配置されたタッチパネルにより、ユーザの指先が触れた位置に表示された情報項目に基づき、ユーザが選択したモードを検出する検出ステップとを含む、情報表示方法。
【発明の詳細な説明】
【技術分野】
【０００１】
本発明は、ユーザに情報を表示するとともにユーザがその情報に基づいて操作する操作機器に関し、特に、複数の動作モードを備えた電子機器において動作モードを選択する操作機器の構成が変更されても、ユーザが戸惑うことのない操作機器に関する。また、本発明は、このような操作機器を備えた電子機器および画像処理装置ならびに操作機器における情報表示方法にも関係がある。
【背景技術】
【０００２】
電子機器である画像処理装置の１種として、多くの事業所（会社、事務所等）に、記録用紙に画像を形成する画像形成装置（代表的にはコピー機）が導入されている。このような事業所において、プリンタ機能またはコピー機能等を備えた画像形成装置をネットワークに接続し、これらを複数のユーザで利用（共用）するケースが多くなっている。また、このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸまたはファクスと記載する場合がある。）、ネットワーク対応のプリンタモード、およびスキャナモードのように、複数の基本的な動作モードを備える。これらの画像形成装置においては、各々のユーザが、動作モードを選択して、両面印刷、集約（２ページを１枚にする２ｉｎ１、４ページを１枚にする４ｉｎ１）等の機能を設定して、所望の態様で記録用紙に画像を形成している。さらに、これらの複数の機能を適宜に組合せて利用されることも多くなってきている。
【０００３】
このような画像形成装置を利用する場合には、たとえば、ユーザはスキャナモードで画像データを入力して、操作パネルから様々な指示を入力して画像処理（集約等）を行ない、その結果を記録用紙に印刷している。その際、操作部および表示部である操作パネルは、画像形成装置とユーザとのインターフェイスとして機能する。操作パネルには、一般的に、各動作モードにおける機能の設定画面が表示されてユーザが各種の機能を容易に設定できるようになっていたり、ジョブ実行中はジョブの進行状況が表示されてユーザがジョブの進行状況を容易に把握できるようになっていたりする。データを外部機器から受信して実行されるプリンタモードに関しては、送信元の外部機器から受信したデータに応じてジョブの進行状況が表示される場合もある。
【０００４】
このような操作パネルとして、最近では、液晶パネル（表示パネル）にタッチパネルを重ねたタッチパネルディスプレイが用いられることが多くなっている。たとえば、このタッチパネルディスプレイに画像形成装置における動作モードを選択するための項目（ソフトウェアボタン）を表示して、その表示を見たユーザがタッチパネルディスプレイに表示された項目の位置を押圧して（ソフトウェアボタンを押圧して）、動作モードを設定する。
【０００５】
このようなタッチパネルディスプレイは、表示機能と操作機能とを兼用できるため、表示部と操作部とを別々に備えなくてもよい点で優れている。さらに、最近では、ユーザがタッチパネルディスプレイを指で押圧して動かした軌跡によりコマンドを選択できるようにすると、ユーザの感覚に関連してコマンドを選択できる点で優れている点が着目されている。このような軌跡によりコマンドを選択する例として以下のような操作がある。
【０００６】
たとえば、印刷プレビューとして、タッチパネルディスプレイに複数のページが表示されているときに、以下のような操作が行なわれる。あるページがプレビューされた位置で、指で軽く２回叩くユーザの操作（以下においてダブルタップと記載する場合がある。）によりそのページを拡大表示したり縮小表示したりするコマンドを選択したり、２本の指の間を広げるユーザの操作軌跡（以下においてピンチアウトまたはピンチオープンと記載する場合がある。）によりそのページを拡大表示するコマンドを選択したり、２本指の間を縮めるユーザの操作軌跡（以下においてピンチインまたはピンチクローズと記載する場合がある。）によりそのページを縮小表示するコマンドを選択したりできる。なお、以下においては、これらの操作をジェスチャー操作と記載するが、このジェスチャー操作は上述した操作に限定されるものではない。このジェスチャー操作には、タッチパネルディスプレイに表示された項目を指で軽く叩くタップ、項目を指でずらすドラッグ、項目をスクロールするときに指で軽くはらうフリック、２本の指でつまむピンチ等も含まれる。なお、タップおよびダブルタップについては、（他のジェスチャー操作に対して）正確には、タッチパネルディスプレイに対するユーザの操作軌跡を検出するものではないが（軌跡ではなく位置を検出しているものに過ぎない）、本発明においては、他のジェスチャー操作との関係上、タップおよびダブルタップを含めて、ジェスチャー操作とはタッチパネルディスプレイに対するユーザの操作軌跡に基づいて、ユーザの要求を検出する操作であるとする。
【０００７】
さらに、本発明においては、このようなジェスチャー操作以外の操作をタッチ操作と記載する。このタッチ操作は、タッチパネルディスプレイに対するユーザの操作位置に基づいて、ユーザの要求を検出する操作であるとする。このタッチ操作には、代表的には、ユーザがタッチパネルディスプレイに表示された項目の位置を押圧する（ソフトウェアボタンを押圧する）操作がある。
【０００８】
このようなタッチ操作およびジェスチャー操作が可能なタッチパネルディスプレイを備えたＭＦＰにおいて、このタッチパネルディスプレイにユーザ向けの多くの情報が表示される。このようなＭＦＰにおいては、上述したように複数の基本的な動作モードを備え、ユーザが複数の動作モードの中から１の動作モードを選択する必要がある。このようなユーザの選択は、タッチパネルディスプレイに表示されたソフトウェアボタンをタッチすることにより入力される。
【０００９】
たとえば、特開２００６−３０８８３１号公報（特許文献１）は、複数の処理機能（コピー機能、ファクシミリ機能、スキャナ機能、電子メール機能等）を備えた画像形成装置であって、画面遷移を制御して、ユーザの操作性を向上させることのできる画像形成装置を開示する。
【００１０】
この画像形成装置は、複数の処理機能のうちいずれかを選択するためのメニュー画面または処理機能を実行するための機能指示画面を表示する表示部と、表示部の画面の表示に基づき選択された処理機能についてのユーザの操作を受け付ける操作部と、選択された処理機能について操作部での操作が一定時間行なわれなかったことを検知する検知部と、検知部によって一定時間操作が行なわれなかったことを検知した際に、表示部の画面を選択された処理機能についての機能指示画面の初期画面に戻す制御部とを備える。
【００１１】
この画像形成装置によると、操作部によって一定時間操作が行なわれなかった場合、それを検知部が検知して、表示部に表示されている処理機能についての機能指示画面をリセットし、その機能指示画面についての初期画面に戻す制御を行なっている。これにより、一定時間経過した後の自動リセット処理として、直前まで選択していた機能に対応した初期画面に戻ることから、次にユーザが処理を行なう際には即座にその処理機能を実行できるようになる。なお、この特許文献１の図３（ａ）に示すメニュー画面がタッチパネルディスプレイに表示される。このメニュー画面には、コピー機能、ファクス機能、スキャナ機能（メール送信）およびスキャナ機能（ボックス保管）を切り換えるためのソフトウェアボタンが表示されている。この画像形成装置によると、原稿をスキャンした画像データを、ファクス送信したいユーザは「ファクス」ボタンをタッチし、メール送信したいユーザは「スキャナ（メール送信）」ボタンをタッチし、所定の記憶デバイスに送信したいユーザは「スキャナ機能（ボックス保管）」ボタンをタッチする。このように、画像形成装置に表示されるメニュー画面から直接的に動作モードを選択できる。今後の画像形成装置においては、このようにメニュー画面に表示されたソフトウェアボタンをタッチすることにより直接的に動作モードを選択することが多くなることが予想される。
【００１２】
一方、動作モードを選択するためにタッチパネルディスプレイにソフトウェアボタンを表示するのではなく、動作モードを選択するためのハードウェアボタンを備える画像形成装置も存在する。たとえば、特開２００１−１５４７７３号公報（特許文献２）は、コピー機能・プリンタ機能・ファクス機能などを選択するための機能選択キーおよび現在の画像形成ジョブの状況を選択表示するための指示を行なうジョブステータスキーなどのハードウェアボタンを備える画像形成装置を開示する。
【００１３】
この特許文献２の図４に示すように、この画像形成装置の操作パネルは、「ＰＲＩＮＴ」、「ＦＡＸ」、「ＣＯＰＹ」および「ＪＯＢ  ＳＴＡＴＵＳ」のハードウェアボタンを備える。この特許文献２に示す画像形成装置によると、原稿をスキャンした画像データを、ファクス送信したいユーザは「ＦＡＸ」ボタンを押下し、メール送信したいユーザは「ＦＡＸ」ボタンを押下してから図１８に示す画面で「ＥＭＡＩＬ  ＡＤＤＲＥＳＳ」ボタンを押下して宛先を入力する。このように、画像形成装置に備えられたハードウェアボタンの「ＦＡＸ」ボタンを押下してから、必要に応じてタッチパネルディスプレイに表示されたソフトウェアボタン（ここでは「ＥＭＡＩＬ  ＡＤＤＲＥＳＳ」ボタン）をタッチしてさらに機能を選択して、ＦＡＸ送信またはメール送信する。送信系の機能を「ＦＡＸ」ボタンに包括させて（または送信系機能の中でＦＡＸを優先させて）、送信系の動作モードの選択を「ＦＡＸ」ボタンを経由させている点が、特許文献１に開示された画像形成装置と異なる。このように構成する１つの理由は、操作パネルの大きさに制限があるので、ハードウェアボタンを多く配置できないためである。従来、このような制限の元で構成されたハードウェアボタンを押下することにより、１の動作モード（優先される動作モードまたは包括的な動作モード）を選択して、さらに別の動作モードを選択する画像形成装置が多い。このような操作方法は、複数の動作モードの中から１の動作モードを間接的に選択する方法である。
【先行技術文献】
【特許文献】
【００１４】
【特許文献１】特開２００６−３０８８６１号公報
【特許文献２】特開２００１−１５４７７３号公報
【発明の概要】
【発明が解決しようとする課題】
【００１５】
このように、表示パネルに配置されたハードウェアボタンを押下することにより動作モードを選択していた従来の画像形成装置が、メニュー画面に表示されたソフトウェアボタンをタッチすることにより動作モードを直接的に選択する新たな画像形成装置へ、置き換えられることが想定される。このように置き換えられると、ユーザは操作方法の相違に戸惑い、動作モードを適切に選択できない課題が発生する可能性がある。
【００１６】
しかしながら、上述した特許文献には、このような課題を解決するための方法は何ら開示されていない。
【００１７】
すなわち、従来の画像形成装置においては、送信系の機能の中で選択される頻度が高い「ＦＡＸ」を選択するためのハードウェアボタンを設けておいて、「ＦＡＸ」ボタンを押下してＦＡＸモードを一旦選択してからメールモードを選択していた（メールよりもＦＡＸを優先する場合）。これに対して、多くのソフトウェアボタンを設けることが比較的容易な新たな画像形成装置においては、「ＦＡＸ」ボタンも「メール」ボタンも設けておいて、直接的に機能を選択する。このような操作方法の相違に戸惑う。
【００１８】
また、上述した特許文献１に開示された画像形成装置（新たな画像形成装置）においては、タッチパネルディスプレイに動作モードを選択するためのソフトウェアボタンが表示される。画像形成装置におけるコピーモードでの出力は記録用紙の印刷出力であって、送信系モードでの出力はデータの送信出力であって、出力結果が異なる。このような出力結果が異なる動作モードを選択するためのソフトウェアボタンを、単にタッチパネルディスプレイに並べたのでは、ユーザが動作モードを適切に選択することが困難になる。
【００１９】
さらに、画像形成装置が複数の送信経路を備える場合には、送信系の動作モードの種類が多くなり、動作モードを選択するための多くのソフトウェアボタンがタッチパネルディスプレイに表示される。このような多くの送信系の動作モードを選択するためのソフトウェアボタンを、単にタッチパネルディスプレイに並べたのでは、ユーザが動作モードを適切に選択することが困難になる。
【００２０】
従って、本発明は、複数の動作モードを備えた電子機器および画像処理装置（画像形成装置）において、動作モードを選択するユーザインターフェイスがタッチパネルディスプレイに表示されたソフトウェアボタンへ変更された場合であっても、ユーザが動作モードを適切に選択することのできる技術を提供することである。
【課題を解決するための手段】
【００２１】
本発明のある局面に係る操作機器は、複数のモードの中からユーザにより選択された１のモードで動作する制御対象装置に備えられる。この操作機器は、複数のモードに対応した複数の情報項目を、モードの優先度および制御対象装置からの出力の違いのいずれかを考慮して整列させて表示するための表示手段と、表示手段に重ねて配置され、ユーザの指先が触れた位置に表示された情報項目に基づき、ユーザが選択したモードを検出するための検出手段と、表示手段を制御するための表示制御手段とを含む。
【００２２】
本発明の別の局面に係る情報表示方法は、複数のモードの中からユーザにより選択された１のモードで動作する制御対象装置に備えられる操作機器における方法である。この情報表示方法は、複数のモードに対応した複数の情報項目を、モードの優先度および制御対象装置からの出力の違いのいずれかを考慮して整列させて表示パネルに表示する表示ステップと、表示パネルに重ねて配置されたタッチパネルにより、ユーザの指先が触れた位置に表示された情報項目に基づき、ユーザが選択したモードを検出する検出ステップとを含む。
【００２３】
この操作機器および操作機器における情報表示方法によると、制御対象装置のモードを選択する場合に、複数のモードに対応した複数の情報項目（ソフトウェアボタン、アイコン等）の１つをユーザが指先で触れる。この場合において、情報項目が、モードの優先度および制御対象装置からの出力の違いのいずれかを考慮して整列表示されている。たとえば、複数のモードの中で選択される頻度が高い特定のモード（優先されるモード）に対応する情報項目が目立つように整列される。このため、頻度が高いモードをユーザが容易に見つけることができる。さらに、従来の操作機器（または制御対象装置）のハードウェアボタンに割り当てられているモードを、優先されるモードに設定すると、従来のハードウェアボタンを使い慣れているユーザが、同じモードを容易に見つけることができる。また、たとえば、制御対象装置が画像処理装置（画像形成装置）の場合、記録用紙を印刷出力するモードに対応する情報項目と、データを送信出力するモードに対応する情報項目との区別が目立つように整列される。このように制御対象装置での出力の違いに基づいて、モードに対応する情報項目が整列されているため、ユーザが選択したい情報項目を容易に見つけることができる。その結果、動作モードを選択するユーザインターフェイスがタッチパネルディスプレイに表示されたソフトウェアボタンへ変更された場合であっても、ユーザが動作モードを適切に選択することができる。
【００２４】
この制御対象機器におけるモードは２以上の通信モードを含むように構成することができる。この場合において、表示制御手段は、２以上の通信モードの中で優先される通信モードのひとつを選択するための情報項目と、２以上の通信モードのいずれかを選択するための複数の情報項目とを表示するための手段を含むように構成することができる。
【００２５】
このようにすると、たとえば、従来の画像処理装置のハードウェアボタンに割り当てられている通信モードを、優先される通信モードに設定すると、優先される通信モードに対応する情報項目が目立つように整列される。このため、従来のハードウェアボタンを使い慣れているユーザが、同じ通信モードを容易に見つけることができる。
【００２６】
この表示制御手段は、優先される通信モードが選択されると画面を切り換えて、選択された通信モードにおける条件設定画面を表示するための手段と、条件設定画面に他の通信モードへ移行するための情報項目を表示するための手段とをさらに含むように構成することができる。
【００２７】
このようにすると、多くの通信モードを選択するためのソフトウェアボタンが必要な場合に、優先されるモードに対応する情報項目が目立つように整列されているので、まずは優先されるモードをユーザが選択しやすい。優先されるモードを選択した後に表示される条件設定画面には他の通信モードへ移行するための情報項目が表示されているので、他の通信モードへ容易に移行することができる。このような操作方法は、従来の操作方法である、「ＦＡＸ」ボタンを押下してＦＡＸモードを一旦選択してからメールモードを選択していた方法と類似するので、従来の画像処理装置を使い慣れているユーザが戸惑うことがなくなる。
【００２８】
この制御対象機器におけるモードは非通信モードおよび２以上の通信モードを含むように構成することができる。この場合において、表示制御手段は、非通信モードを選択するための第１の情報項目と、通信モードを選択するための複数の第２の情報項目とを表示するための手段と、第２の情報項目を第１の情報項目の周囲に整列して表示するための手段とを含むように構成することができる。
【００２９】
たとえば、制御対象装置が画像処理装置の場合、記録用紙を印刷出力する非通信モードに対応する情報項目と、データを送信出力する通信モードに対応する情報項目との区別が目立つように整列される。このように制御対象装置での出力の違いに基づいて、モードに対応する情報項目が整列（非通信モードが中央で通信系モードがその周囲）されているため、ユーザが選択したい情報項目を見つけやすい。
【００３０】
この表示制御手段は、第２の情報項目として、２以上の通信モードの中で優先される通信モードのひとつを選択するための第３の情報項目と、２以上の通信モードのいずれかを選択するための複数の第４の情報項目とを表示するための手段を含むように構成することができる。
【００３１】
このようにすると、優先される通信モードに対応する第３の情報項目が表示されているので、その第３の情報項目を選択することにより、たとえば、選択される頻度が高い通信モードを容易に選択することができる。
【００３２】
この表示制御手段は、第３の情報項目を第４の情報項目よりもユーザに近い位置に表示するための手段を含むように構成することができる。また、この表示制御手段は、第３の情報項目に触れるユーザの手により第４の情報項目が隠れないように、第３の情報項目および第４の情報項目を表示するための手段を含むように構成することができる。
【００３３】
多くの通信モードに対応する多くの情報項目が表示されている場合において、優先される通信モードに対応する第３の情報項目がユーザの近くに表示される。たとえば、従来の画像処理装置におけるハードウェアボタンに対応させていた通信モード（優先される通信モード）に対応する情報項目がユーザ側に配置されることにより、ユーザが見つけやすい。また、優先される通信モードに対応する第３の情報項目にユーザが手で触れる場合に、優先される通信モード以外のモードに対応する第４の情報項目がユーザの手で隠れない。すなわち、第３の情報項目をユーザが操作する場合において、ユーザ自身の手で第４の情報項目が隠れないで見える。このため、第４の情報項目（新たな操作仕様）にユーザが気付くことができる。
【００３４】
なお、表示手段および検出手段は、タッチパネルディスプレイであるように構成することができる。
【００３５】
表示手段である表示パネルに検出手段であるタッチパネルを重ねて構成したタッチパネルディスプレイを用いて、動作モードを選択するユーザインターフェイスがソフトウェアボタンへ変更された場合であっても、ユーザが動作モードを適切に選択することができる。
【００３６】
本発明のさらに別の局面に係る電子機器は、上述した操作機器を備え、本発明のさらに別の局面に係る画像処理装置は、上述した操作機器を備える。
【００３７】
この電子機器および画像処理装置によると、複数の動作モードを備えた電子機器および画像処理装置において、動作モードを選択するユーザインターフェイスがタッチパネルディスプレイに表示されたソフトウェアボタンへ変更された場合であっても、ユーザが動作モードを適切に選択することができる。
【００３８】
本発明に係る画像処理装置からの出力の違いは、記録用紙を印刷出力とデータを送信出力との違いであるように構成することができる。
【００３９】
このような記録用紙を印刷出力するコピーモード（非通信モード）と、データを送信出力する通信モードとの違いが明確になるように、情報項目が配置されるので、ユーザは選択したいモードを容易に見つけることができる。
【００４０】
本発明に係る画像処理装置における通信モードは画像通信モードであって、通信モードは通信経路が相違するように構成することができる。
【００４１】
公衆回線（ＦＡＸ回線）とインターネット回線等とのように通信経路が相違する、２以上の画像通信モードを備える画像処理装置において、動作モードを選択するユーザインターフェイスがタッチパネルディスプレイに表示されたソフトウェアボタンへ変更された場合であっても、ユーザが動作モードを適切に選択することができる。
【００４２】
本発明に係る画像処理装置における通信モードは画像通信モードであって、２以上の通信モードの中で優先される通信モードはユーザにより設定されるモードであるように構成することができる。
【００４３】
選択される頻度が高いモードを、優先される通信モードに設定しておくと、よく使用するモードを容易に選択することができる。また、従来の画像処理装置のハードウェアボタンで選択されるモードを、優先される通信モードに設定しておくと、従来の操作方法に準じて、モードを容易に選択することができる。
【００４４】
本発明に係る画像処理装置における通信モードは画像通信モードであって、非通信モードは画像形成モードであるように構成することができる。
【００４５】
データを送信出力する画像通信モードと、記録用紙を印刷出力する画像形成モードとの違いが明確になるように、情報項目が配置されるので、ユーザは選択したいモードを容易に見つけることができる。
【発明の効果】
【００４６】
本発明によると、複数の動作モードを備えた電子機器および画像処理装置（画像形成装置）において、動作モードを選択するユーザインターフェイスがタッチパネルディスプレイに表示されたソフトウェアボタンへ変更された場合であっても、ユーザが動作モードを適切に選択することができる。
【図面の簡単な説明】
【００４７】
【図１】本発明の実施の形態に係る画像形成装置の外観を示す斜視図である。
【図２】図１に示す画像形成装置の内部構成を簡略化して示す図である。
【図３】図１に示す画像形成装置のハードウェア構成を示す機能ブロック図である。
【図４】図１に示す画像形成装置のタッチパネルディスプレイの表示領域を示す図である。
【図５】本発明の実施の形態に係る画像形成装置において実行されるプログラムの制御構造を示すフローチャートである。
【図６】本発明の実施の形態に係る画像形成装置のタッチパネルディスプレイに表示されるホーム画面を示す図である。
【図７】図６のホーム画面の配置の概念を示す図である。
【図８】本発明の実施の形態に係る画像形成装置のタッチパネルディスプレイに表示される、レギュラーモードで表示されたメールモード初期画面を示す図である。
【図９】本発明の実施の形態に係る画像形成装置のタッチパネルディスプレイに表示される、レギュラーモードで表示されたＦＡＸモード初期画面を示す図である。
【図１０】本発明の実施の形態に係る画像形成装置のタッチパネルディスプレイに表示される、レギュラーモードで表示されたｉ−ＦＡＸモード初期画面を示す図である。
【図１１】本発明の実施の形態に係る画像形成装置のタッチパネルディスプレイに表示される、レギュラーモードで表示された共有フォルダモード初期画面を示す図である。
【図１２】本発明の実施の形態に係る画像形成装置のタッチパネルディスプレイに表示される、レギュラーモードで表示されたデータ入力モード初期画面を示す図である。
【図１３】本発明の実施の形態に係る画像形成装置のタッチパネルディスプレイに表示される、レギュラーモードで表示されたＦＴＰモード初期画面を示す図である。
【図１４】本発明の実施の形態に係る画像形成装置のタッチパネルディスプレイに表示される、レギュラーモードで表示されたデスクトップモード初期画面を示す図である。
【図１５】図９のＦＡＸモード初期画面においてユーザが動作モード表示エリアをタッチする状態を示す図である。
【図１６】図１５で動作モード表示エリアをタッチした後のタッチパネルディスプレイ画面を示す図である。
【発明を実施するための形態】
【００４８】
以下の実施の形態では、同一の部品には同一の参照番号を付してある。それらの機能および名称も同一である。従って、それらについての詳細な説明は繰返さない。
【００４９】
本発明の実施の形態に係る電子機器は、画像処理装置の１種である画像形成装置である。本発明に係る操作機器の適用は、このような画像形成装置以外の画像処理装置または電子機器であっても構わない。本実施の形態に係る電子機器は、複数の動作モードを備え、その動作モードを選択するためのボタンがハードウェアボタンからソフトウェアボタンへ変更された場合であっても、ユーザが戸惑うことなく動作モードを適切に選択することができるように、動作モード選択ボタンをタッチパネルディスプレイに表示する操作機器を備えた装置でありさえすればよい。
【００５０】
なお、本実施の形態に係る画像形成装置１００は、ジェスチャー操作方法とジェスチャー操作によらないタッチ操作方法とにより操作が可能なタッチパネルディスプレイを備えるとするが、タッチ操作のみが可能なタッチパネルディスプレイを備える装置であってもよい。
【００５１】
この画像形成装置は、電子写真方式により記録用紙に画像を形成する。この画像形成装置は、動作モードとして、コピーモード、メールモード、ＦＡＸモード、ｉ−ＦＡＸモード、共有フォルダモード、データ入力モード、ＦＴＰモード、デスクトップモードを備える。
【００５２】
メールモードは、スキャンして作成された画像データを電子メールにより、指定された電子メールアドレスへ送信する。ｉ−ＦＡＸモードは、電子メールに画像データファイルを添付する形式でインターネットを経由して指定された電子メールアドレスへ送信する。なお、ｉ−ＦＡＸモードにおいては、メールサーバを介されないで、たとえば社内間で直接通信する、ダイレクトＳＭＴＰと呼ばれる機能を備える場合もある。共有フォルダモードは、スキャンして作成された画像データファイルをそのままのフォーマットで、その画像形成装置が接続された同一ネットワーク上のコンピュータの共有フォルダへ送信する。データ入力モードは、メタデータ送信とも呼ばれ、画像データファイルとは別に、予め登録しておいた情報を元にメタデータ（送信データの属性、処理方法等を示すデータ）を生成して送信する。ＦＴＰモードは、スキャンして作成された画像データファイルを、指定したＦＴＰ（Ｆｉｌｅ  Ｔｒａｎｓｆｅｒ  Ｐｒｏｔｏｃｏｌ）サーバのディレクトリへ、専用のプロトコルで送信する。デスクトップモードは、スキャンして作成された画像データファイルを、イントラネット上のパーソナルコンピュータへ送信する。
【００５３】
これらの中のＦＡＸモード、ｉ−ＦＡＸモード、共有フォルダモード、データ入力モード、ＦＴＰモード、デスクトップモードは、送信系の動作モードである。これらの送信系の動作モードをまとめて画像送信モードと記載する。本発明は、このような名称の画像送信モードを備える画像形成装置に限定されるものではない。
【００５４】
なお、この画像形成装置は、さらにネットワークプリンタモードを備えていても構わない。しかしながら、本発明はこれに限定されず、コピーモードに加えて少なくとも２つの画像送信モード（たとえば、ＦＡＸモードともう１つの送信系の動作モード）を備えた画像形成装置であって、ユーザが戸惑うことなく動作モードを適切に選択することができるように、タッチパネルディスプレイに動作モード選択ボタンを表示する画像形成装置であれば構わない。また、印刷方式は電子写真方式に限定されない。
【００５５】
［画像形成装置：機能］
図１〜図３を参照して、本発明の実施の形態に係る画像形成装置１００について説明する。図１は、画像形成装置１００の外観構成を示す図である。図２は、画像形成装置１００の内部構成を簡略化して示す図である。図３は、画像形成装置１００の機能ブロック図である。
【００５６】
これらの図１〜図３を参照して、画像形成装置１００は、原稿読取部１０２、画像形成部１０４、給紙部１０６、排紙処理装置１０８、および操作ユニット１２０を備える。操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。表示操作部１４０は、表示灯１４２と、電源キー１４４と、省エネルギキー（以下「省エネキー」と記載）１４６と、動作モードを選択するホーム画面へタッチパネルディスプレイ１３０の表示画面を戻すためのホームキー１４８とで構成される。
【００５７】
このように本実施の形態に係る画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００５８】
−コピーモード−
以下において、コピーモードでの動作説明を行なう。このコピーモードにおいては、主として、原稿読取部（以下、スキャナ部と記載する場合がある。）１０２および画像形成部１０４が動作する。
【００５９】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００６０】
画像形成部１０４は、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００６１】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００６２】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００６３】
感光体ドラム２２２は、一方向に回転し、その表面は、クリーニング装置２３２と除電装置によりクリーニングされた後、帯電装置２２４により均一に帯電される。
【００６４】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００６５】
現像装置２２８は、トナーを感光体ドラム２２２の表面に供給して静電潜像を現像し、トナー像を感光体ドラム２２２の表面に形成する。
【００６６】
転写装置２３０は、当該転写装置２３０と感光体ドラム２２２との間を通過していく記録用紙に感光体ドラム２２２の表面のトナー像を転写する。
【００６７】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００６８】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００６９】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００７０】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００７１】
排紙処理装置１０８では、複数の記録用紙を各排紙トレイ１１０に仕分けして排出する処理、各記録用紙にパンチングする処理、および各記録用紙にステープルする処理を施す。たとえば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙にパンチング処理またはステープル処理を施して印刷物を作成する。
【００７２】
−ファクシミリモード−
以下において、ファクシミリモードでの動作説明を行なう。このファクシミリモードにおいては、主として、送信動作は原稿読取部（スキャナ部）１０２およびＦＡＸ通信部１６０が動作することにより、受信動作はＦＡＸ通信部１６０および画像形成部１０４が動作する。
【００７３】
・送信動作
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００７４】
送信側の画像形成装置１００のＦＡＸ通信部１６０は、指定された送信側の回線を指定された送信先に接続して、画像データをファクシミリ通信規格に合致した通信データへ変換して、受信側のファクシミリ装置（たとえばファクシミリモードを備えた画像形成装置１００）へ送信する。
【００７５】
・通信動作
回線が接続されると、受信側の画像形成装置１００のＦＡＸ通信部１６０は、送信側の画像形成装置１００のＦＡＸ通信部１６０からの通信要求信号を検出して、応答信号を送信する。その後、たとえば、ＦＡＸ通信部１６０は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へデータを送信する。送信が終了すると回線が切断される。
【００７６】
・受信動作
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００７７】
−その他の画像送信モード−
以下において、ファクシミリモード以外の画像送信モードである、メールモード、ｉ−ＦＡＸモード、共有フォルダモード、データ入力モード、ＦＴＰモード、デスクトップモードでの動作説明を行なう。これらの画像送信モードについては、ｉ−ＦＡＸモードの概要を説明する。これらの画像送信モードにおいては、主として、原稿読取部（スキャナ部）１０２および画像形成部１０４ならびにネットワークインターフェイス３０４が動作する。
【００７８】
画像形成装置１００においては、原稿載置台に置かれた原稿が原稿読取部１０２により画像データとして読取られ、読取られた画像データがＣＰＵ３００に入力され、ここで画像データに各種の画像処理が施される。この画像データが、この画像形成装置１００が備える記憶装置（後述するハードディスク３０２）に記憶される。画像データがｉ−ＦＡＸで使用可能なフォーマット（たとえば、ＴＩＦＦ−Ｆフォーマット）へ変換されて、変換されたデータファイルが電子メールに添付される。このような電子メールがネットワークインターフェイス３０４およびインターネットを経由して、他の画像形成装置またはコンピュータへ送信される。
【００７９】
ｉ−ＦＡＸを受信する他の画像形成装置においては、予め定められた時間の間隔でメールサーバに接続して、メールサーバに蓄積された自機宛のメールを受信する。
【００８０】
ファクシミリモードでは、送信先の電話番号が指定されるのに対して、これらの画像送信モードでは、送信先のメールアドレス、ＩＰアドレス、サーバコンピュータ名、コンピュータ名、フォルダ名等が指定される点が異なる。
【００８１】
［画像形成装置：制御ブロック構成］
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００８２】
画像形成装置１００はさらに、原稿読取部１０２、画像形成部１０４、ＦＡＸ通信部１６０、操作ユニット１２０、ＲＯＭ３０６、ハードディスク３０２、およびＲＡＭ３０８に接続されるバス３１０と、バス３１０に接続された、画像形成装置としての一般的機能を実現するためのＣＰＵ３００とを含む。
【００８３】
ハードディスク３０２には、この画像形成装置１００でスキャンした原稿の画像データのファイルが、フォルダ別に、保存日時および保存ユーザ名ととともに記憶されている。また、ハードディスク３０２には、各動作モードの初期画面データが記憶されている。
【００８４】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００８５】
図３に示すように、この画像形成装置１００のＦＡＸ通信部１６０には、画像データの送受信用に公衆回線が接続され、ネットワークインターフェイス３０４にはネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたり、画像送信モードで画像データが送信されるコンピュータまたは画像形成装置が接続されたりする。このようにインターネットに接続されると、画像形成装置１００は、インターネットを介して、必要な情報を取得したり、画像データを通信したりすることができる。
【００８６】
ＲＡＭ３０８は、ＣＰＵ３００による演算および処理の結果を一時的に記憶するワーキングメモリとしての機能と、画像データを記憶するフレームメモリとしての機能とを提供する。
【００８７】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００８８】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００８９】
上述したように、このタッチパネルディスプレイ１３０は、表示パネル１３２と、表示パネル１３２に重ねて配置されたタッチパネル１３４とで構成される。このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００は、このようなタッチ操作（ユーザによる押圧位置に基づくコマンド入力操作）に加えて、上述したジェスチャー操作（ユーザによる操作軌跡に基づくコマンド入力操作）にも対応している。
【００９０】
また、表示操作部１４０の表示灯１４２は、たとえばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（たとえば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００９１】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００９２】
本実施の形態に係る画像形成装置１００においては、上述した動作モードを備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００９３】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示する。特に、この画像形成装置１００においては、主たる表示操作デバイスとして設けられたタッチパネルディスプレイ１３０のホーム画面において動作モードを選択すると、各動作モードの初期画面が表示される。この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能であって、（３）「機能選択領域」の表示モードを２以上を備えその領域の大きさを変更することにより「プレビュー領域」の大きさを変更させて、機能設定情報およびプレビュー情報をユーザに的確に伝達し、（４）「プレビュー領域」を中央にして「機能選択領域」と「アクションパネル領域」および「タスクトリガー領域」とを配置して、一方側に配置された領域（「機能選択領域」）で機能を選択し、中央に配置された領域で選択された機能による処理をプレビューで確認して、他方側に配置された領域（「アクションパネル領域」および「タスクトリガー領域」）で処理の実行を要求することが可能である。以下において、このような基本レイアウトの構成について説明する。
【００９４】
［基本レイアウト構成］
図４に、この画像形成装置１００のタッチパネルディスプレイ１３０における基本レイアウトを示す。図４を参照して、この基本レイアウトは、横長のタッチパネルディスプレイ１３０において（たとえば、横１０２４ピクセル×縦６００ピクセル）、最上部に配置されたシステム領域１０００、画面中央部に配置されたプレビュー領域３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。なお、領域の数は５つに限定されるものではなく、左右の並びもこれに限定されず、ユーザが操作しやすいようにカスタマイズすることができる。また、システム領域１０００の位置は最下部であっても構わない。
【００９５】
システム領域１０００には、この画像形成装置１００の現時点での状態が表示され、操作中の動作モードのタイトル、画像形成装置１００の状況・状態が表示される。たとえば、システム領域１０００には、動作モード名、割り込みキー、ログインユーザ名、処理中のジョブ状況、内蔵メモリ使用状態、時刻等が表示される。
【００９６】
機能選択領域２０００には、各機能の設定、表示の切り換え、設定の確認のためにユーザにより操作される機能選択メニュー（アイコン、ボタン、設定項目画面、機能一覧画面等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００９７】
なお、レギュラーモードにおいては、機能名称をテキスト表示するのみ（機能設定のアイコンを表示しない）であっても構わない。
【００９８】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００９９】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。これらの３つの表示モード（アイコンモード、レギュラーモードおよびエキスプレスモード）の詳細については後述する。
【０１００】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【０１０１】
プレビュー領域３０００には、原稿の出力（仕上がり）イメージが表示される。ダミーデータまたはスキャンデータを用いてイメージ表示し、ユーザが仕上がりを指示する毎にプレビュー領域３０００に表示されているイメージが変更される。このプレビュー領域３０００においては、スキャン前のバーチャルモードでのダミーイメージでの仕上がり表示、スキャン後のスキャンインモードでの実イメージでの仕上がり表示の２つのモードを有し、さらにバーチャルモードには、原稿セット前および原稿セット後の２種類がある。
【０１０２】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、たとえばカラー変更ボタン３０１２およびプレビュー操作ボタン３０１４が配置されている。
【０１０３】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【０１０４】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【０１０５】
ズームバー３０２０のプラスボタン３０２０Ａをタッチ操作したり、バー３０２０Ｃをプラスボタン３０２０Ａ側へジェスチャー操作（スライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【０１０６】
ズームバー３０２０のマイナスボタン３０２０Ｂをタッチ操作したり、バー３０２０Ｃをマイナスボタン３０２０Ｂ側へジェスチャー操作（スライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【０１０７】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをジェスチャー操作（フリック）してもプレビューされる原稿のページ送り、ページ戻しを行なうこともできる。また、プレビュー領域３０００に表示される原稿イメージが大きい場合には、タッチ操作またはジェスチャー操作可能なスクロールバーを表示するようにしても構わない。
【０１０８】
アクションパネル領域４０００には、操作についての補助・助言・提案についての情報が表示される。このアクションパネル領域４０００には、たとえば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【０１０９】
タスクトリガー領域５０００には、その動作モードにおける全ての設定が完了して、この画像形成装置１００を実際に動作させるためにユーザにより操作されるトリガー項目が表示される。たとえば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【０１１０】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【０１１１】
これらの５領域は、動作モードが変更されても（どの動作モードの初期画面においても）、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【０１１２】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。これにより、ユーザフレンドリーな操作が可能という効果が発現される。
【０１１３】
なお、ある動作モードから他の動作モードへ遷移するためには、基本的には、ホームキー１４８を押下して、ホーム画面において他の動作モードを選択する。このように、ホーム画面を経由して、動作モードが切り換えられる。ただし、本実施の形態に係る画像形成装置１００においては、後述するように、画像送信モード（メールモード、ＦＡＸモード、ｉ−ＦＡＸモード、共有フォルダモード、データ入力モード、ＦＴＰモード、デスクトップモード）が選択されている場合に、１の動作モードの画面から他の動作モードの画面へ遷移することができる。このため、画像送信モード間は、ホーム画面を経由しないで、動作モードを切り換えることができる。
【０１１４】
このように、この画像形成装置１００においては、ユーザの視点の動線および操作の動線に着目して、情報を表示するタッチパネルディスプレイ１３０を備える。このタッチパネルディスプレイ１３０において、ユーザが戸惑うことなく動作モードを適切に選択することができるように、タッチパネルディスプレイに動作モード選択ボタンを表示する。このような表示処理は、上述したハードウェア構成を用いて実行されるソフトウェアにより実現される。以下において、このソフトウェア構成について説明する。
【０１１５】
［ソフトウェア構成］
図５は、画像形成装置１００のＣＰＵ３００で実行されるプログラムの制御構造を示すフローチャートである。なお、画像形成装置１００のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【０１１６】
図５を参照して、ステップ（以下、ステップをＳと記載する。）１００００にて、画像形成装置１００のＣＰＵ３００（以下、単にＣＰＵ３００と記載する。）は、画像形成装置１００の電源が投入されたか否かを判定する。ここで、ＣＰＵ３００が作動するための主電源は投入されているものとし、ＣＰＵ３００は、電源キー１４４が押下されると、画像形成装置１００の電源が投入されたと判定するものとする。しかしながら、主電源が投入された場合にＳ１００００にてＹＥＳと判定するものであっても構わない。画像形成装置１００の電源が投入されたと判定されると（Ｓ１００００にてＹＥＳ）、処理はＳ１００１０へ移される。もしそうでないと（Ｓ１００００にてＮＯ）、この処理はＳ１００００へ戻されて、画像形成装置１００の電源が投入されたと判定されるまで待つ。
【０１１７】
Ｓ１００１０にて、ＣＰＵ３００は、タッチパネルディスプレイ１３０にウォームアップ画面を表示する。タッチパネルディスプレイ１３０にウォームアップ画面が表示されているときに、たとえば、システムチェック処理、ヒータへ通電して加熱ローラ２４８を昇温させる処理が実行される。
【０１１８】
Ｓ１００２０にて、ＣＰＵ３００は、ウォームアップが完了したか否かを判定する。ウォームアップが完了したと判定されると（Ｓ１００２０にてＹＥＳ）、処理はＳ１００３０へ移される。もしそうでないと（Ｓ１００２０にてＮＯ）、この処理はＳ１００２０へ戻されて、ウォームアップが完了するまで待つ。
【０１１９】
Ｓ１００３０にて、ＣＰＵ３００は、タッチパネルディスプレイ１３０にホーム画面を表示する。Ｓ１００４０にて、ＣＰＵ３００は、動作モードが選択されたか否かを判定する。このとき、ＣＰＵ３００は、たとえば、ホーム画面に表示されたアイコン（動作モードを模したアイコン）がタッチ操作、タップ操作またはダブルタップ操作されると、動作モードが選択されたと判定する。動作モードが選択されたと判定されると（Ｓ１００４０にてＹＥＳ）、処理はＳ１００５０へ移される。もしそうでないと（Ｓ１００４０にてＮＯ）、この処理はＳ１００３０へ戻されて、ホーム画面を表示し続ける。なお、アイコンをタッチ操作、タップ操作またはダブルタップ操作することについては、これ以外のジェスチャー操作を排除することを意味するものではなく、タッチパネルディスプレイ１３０に対するタッチ操作およびジェスチャー操作のいずれの操作であってもよいことを示す。また、単に「押下」と記載した場合であっても、これらのいずれかの操作を示す場合がある。このＳ１００３０にてタッチパネルディスプレイ１３０に表示されるホーム画面の特徴的な構成については後述する。
【０１２０】
Ｓ１００５０にて、ＣＰＵ３００は、選択された動作モードが画像送信系であるか否かを判定する。このとき、ＣＰＵ３００は、ホーム画面に表示されたアイコン（動作モードを模したアイコン）の中の、画像送信アイコン、Ｅ−ｍａｉｌアイコン、ＦＡＸアイコン、ｉ−ＦＡＸアイコン、共有フォルダアイコン、データ入力アイコン、ＦＴＰアイコン、デスクトップアイコンのいずれかが、タッチ操作、タップ操作またはダブルタップ操作されると、画像送信系の動作モードが選択されたと判定する。画像送信系の動作モードが選択されたと判定されると（Ｓ１００５０にてＹＥＳ）、処理はＳ１００６０へ移される。もしそうでないと（Ｓ１００５０にてＮＯ）、この処理はＳ１００８０へ移される。
【０１２１】
Ｓ１００６０にて、ＣＰＵ３００は、画像送信系モードの選択が包括的な指定であるか否かを判定する。このとき、ＣＰＵ３００は、ホーム画面に表示された画像送信アイコンがタッチ操作、タップ操作またはダブルタップ操作されると、包括的な指定であると判定する。包括的な指定であると判定されると（Ｓ１００６０にてＹＥＳ）、処理はＳ１００７０へ移される。もしそうでないと（Ｓ１００６０にてＮＯ）、この処理はＳ１００８０へ移される。
【０１２２】
Ｓ１００７０にて、ＣＰＵ３００は、ハードディスク３０２等に記憶された情報に基づいて、包括送信モードとして予め設定された動作モードを取得する。包括送信モードは、たとえば、この画像形成装置１００において頻度高く選択される画像送信系の動作モードが設定される。なお、本実施の形態においては、限定されるものではないが、包括送信モードとしてＦＡＸモード（画像送信系モードの１つ）が予めユーザにより設定されているものとする。この設定は、ユーザ（管理者が好ましい）により適宜変更することが可能である。このように設定された包括送信モードは、ユーザが自由に考える優先度に従って指定できるので、ユーザにより設定された優先的な送信モードともいえる。特に、頻度高く選択される画像送信系のモードを包括送信モードに設定すると、優先的に選択させたいユーザの観点からは、このような包括送信モードは優先的な送信モードであるといえる。
【０１２３】
Ｓ１００８０にて、ＣＰＵ３００は、ハードディスク３０２等に記憶された初期画面データであって、選択された動作モードの初期画面データを読出す。Ｓ１００９０にて、ＣＰＵ３００は、読出した初期画面データを用いてタッチパネルディスプレイ１３０に選択された動作モードの初期画面を表示する。
【０１２４】
Ｓ１０１００にて、ＣＰＵ３００は、選択された動作モードにおいて、要求が入力されたか否かを判定する。ユーザによる要求が入力されたと判定されると（Ｓ１０１００にてＹＥＳ）、処理はＳ１０１１０へ移される。もしそうでないと（Ｓ１０１００にてＮＯ）、この処理はＳ１０１２０へ移される。
【０１２５】
Ｓ１０１１０にて、ＣＰＵ３００は、画像形成装置１００において、ユーザにより要求された処理を実行する。その後、この処理は終了する。
【０１２６】
Ｓ１０１２０にて、ＣＰＵ３００は、ホームキーが押下されたか否かを判定する。ホームキーが押下されたと判定されると（Ｓ１０１２０にてＹＥＳ）、処理はＳ１００３０へ移される。もしそうでないと（Ｓ１０１２０にてＮＯ）、この処理はＳ１０１３０へ移される。
【０１２７】
Ｓ１０１３０にて、ＣＰＵ３００は、画像送信系の動作モードを変更する要求を検出したか否かを判定する。このとき、ＣＰＵ３００は、画像送信系の動作モードの条件設定画面に表示された動作モード表示エリアを、ユーザがタッチ操作、タップ操作またはダブルタップ操作すると、動作モードの変更要求を検出したと判定する。動作モードの変更要求を検出したと判定されると（Ｓ１０１３０にてＹＥＳ）、処理はＳ１０１４０へ移される。もしそうでないと（Ｓ１０１３０にてＮＯ）、この処理はＳ１０１００へ移される。
【０１２８】
Ｓ１０１４０にて、ＣＰＵ３００は、タッチパネルディスプレイ１３０に、動作モード変更画面をポップアップ形式で表示する。このとき、ポップアップ画面には、画像送信系モードの一覧が表示される。
【０１２９】
Ｓ１０１５０にて、ＣＰＵ３００は、ポップアップ画面に表示された画像送信系の動作モードの中の１つが選択されたか否かを判定する。このとき、ＣＰＵ３００は、ポップアップ画面に表示された画像送信系の動作モードの１つを、ユーザがタッチ操作、タップ操作またはダブルタップ操作すると、動作モードが選択されたと判定する。ポップアップ画面に表示された画像送信系の動作モードの中の１つが選択されたと判定されると（Ｓ１０１５０にてＹＥＳ）、処理はＳ１００８０へ移される。もしそうでないと（Ｓ１０１５０にてＮＯ）、この処理はＳ１０１００へ移される。
【０１３０】
なお、ウォームアップ完了で（Ｓ１００２０にてＹＥＳ）、ログイン画面を表示するようにしても構わない。以下の動作の説明においては、このようなウォームアップ完了後のログイン動作について記載しないが、この画像形成装置１００を使用するユーザはログインする必要があるとして説明する。
【０１３１】
さらに、Ｓ１０１００においてユーザにより入力される要求には、機能選択領域２０００の表示モードの変更、機能選択領域２０００での機能設定、プレビュー領域３０００におけるプレビューの表示態様の変更等の、画像形成装置１００が実際に印刷しないで印刷前の要求も含まれる。このような印刷前の処理が要求された場合には、その要求をＳ１０１１０にて実行して、さらなる要求の入力（最終的には印刷要求）を待つために、Ｓ１０１１０の後、処理をＳ１０１００へ戻すことになる。
【０１３２】
［動作］
以上のような構造およびフローチャートに基づく、本実施の形態に係る画像形成装置１００の動作について、図６〜図１６に示すタッチパネルディスプレイ１３０の表示例を用いて説明する。なお、これらの表示例において、同じ表示項目については、同じ参照符号または同じ項目名称を付してある。これらの同じ表示項目については、説明を繰返さない。
【０１３３】
−ホーム画面表示動作−
ユーザが、この画像形成装置１００の電源キー１４４を押下すると（Ｓ１００００にてＹＥＳ）、ウォームアップが完了するまでは（Ｓ１００２０にてＮＯ）、タッチパネルディスプレイ１３０にウォームアップ画面が表示される（Ｓ１００１０）。このとき、ウォームアップ画面として、画像形成装置１００がシステムチェック中でも表示できる情報であって、この画像形成装置１００を使用しようとしているユーザに有益な情報を準備しておいて、タッチパネルディスプレイ１３０に表示することが好ましい。
【０１３４】
ウォームアップが完了すると（Ｓ１００２０にてＹＥＳ）、タッチパネルディスプレイ１３０にホーム画面が表示される（Ｓ１００３０）。このとき、たとえば、タッチパネルディスプレイ１３０には、図６に示すホーム画面６０００が表示される。図６に示すように、ホーム画面６０００は、上述したレイアウト構成の５領域の全ての領域が表示されるものでなく、５領域とは関係なくタッチパネルディスプレイ１３０の大部分に動作モードを選択するためのアイコン（動作モードを模したアイコン）が表示される。
【０１３５】
図６を参照して、ホーム画面６０００は、上述したシステム領域に対応するホームシステム領域６１００と、アイコン表示領域６２００と、アイコン表示切換タブボタン６３００と、メモ表示領域６４００とで構成される。
【０１３６】
ホームシステム領域６１００には、ホーム画面を示すアイコンが表示されるエリア６１０２、表示されている画面の名称が表示されるエリア６１０４、ログインユーザ名が表示されるエリア６１０６、ログアウトボタン（ソフトウェアボタン）が表示されるエリア６１０８、現在時刻が表示されるエリア６１１０が配置されている。
【０１３７】
アイコン表示領域６２００には、動作モードを模したアイコン６２１０〜アイコン６２７４がその動作モードの名称または略称とともに表示される。なお、動作モードの名称または略称は必須ではない。本実施の形態においては、メンテナンスモード（システム設定、言語設定等）の他には、大きく分類して、コピーモードと画像送信系の動作モード（メールモード、ＦＡＸモード、ｉ−ＦＡＸモード、共有フォルダモード、データ入力モード、ＦＴＰモード、デスクトップモード）とを備える。このため、コピーモードを選択するためのアイコン６２４２と、画像送信系の動作モードを包括的に選択するためのアイコン６２４４とがアイコン表示領域６２００に表示される。さらに、アイコン表示領域６２００には、メールモードを直接的に選択するためのアイコン６２３０、ｉ−ＦＡＸモードを直接的に選択するためのアイコン６２３２、ＦＡＸモードを直接的に選択するためのアイコン６２３４、ＦＴＰモードを直接的に選択するためのアイコン６２４０、データ入力モードを直接的に選択するためのアイコン６２５２、共有フォルダモードを直接的に選択するためのアイコン６２５４、およびデスクトップモードを直接的に選択するためのアイコン６２５０が表示される。なお、本発明は、図６のホーム画面６０００に示すアイコンに限定されるものではない。
【０１３８】
ここで、アイコン６２４２は、終局的な動作モードであって（条件を設定する必要があっても）さらに動作モードを選択する必要がないコピーモードを選択するためのアイコンであり、アイコン６２４４は、優先される画像送信系の動作モードを選択するための優先アイコンである。上述したように、アイコン６２４４を押下した場合には、選択される頻度が高いことを理由として予め設定されたＦＡＸモードが選択されたものとして、処理される。これは、アイコン６２３４を押下した場合の処理を同じである。
【０１３９】
後述するように、このＦＡＸモードの条件設定画面において、他の画像送信系モードへ容易に移行することができる（ＦＡＸモード以外の画像送信系モードからも他の画像送信系モードへ容易に移行することができる）。このように移行することは、優先アイコンで優先される動作モードを一旦選択しておいてから、終局的な動作モードを選択することを意味する。このため、アイコン６２４４は、終局的な動作モードでなくさらに別の動作モードを選択するための包括アイコンといえる。また、アイコン６２３０、アイコン６２３２、アイコン６２３４、アイコン６２４０、アイコン６２５０、アイコン６２５２、およびアイコン６２５４は、終局的な動作モードであってさらに動作モードを選択する必要がない画像送信系モードを選択するためのアイコンである。
【０１４０】
図６に示すように、アイコン表示領域６２００においては、中央列のアイコン（たとえばアイコン６２４０、アイコン６２４２、アイコン６２４４）は、それらの左右のアイコン（たとえばアイコン６２４０に対するアイコン６２３０およびアイコン６２５０、アイコン６２４２に対するアイコン６２３２およびアイコン６２５２、アイコン６２４４に対するアイコン６２３４およびアイコン６２５４）よりも大きく表示される。また、このアイコン表示領域６２００においては、中央段のアイコン（たとえばアイコン６２３２、アイコン６２４２、アイコン６２５２）は、それらの上下のアイコン（たとえばアイコン６２３２に対するアイコン６２３０およびアイコン６２３４、アイコン６２４２に対するアイコン６２４０およびアイコン６２４４、アイコン６２５２に対するアイコン６２５０およびアイコン６２５４）よりも大きく表示される。このように、このアイコン表示領域６２００においては、アイコンの大きさは、中央部の中央段に配置されるアイコンの大きさが最も大きく、かつ、左右対称および上下対称になるように表示される。
【０１４１】
また、タッチパネルディスプレイ１３０の画面に表示されたアイコン表示領域６２００を、ユーザが指先で左にフリック操作すると、画面に表示されるアイコンが、矢示６０１０で示す方向へ流れるように移動し、ユーザが指先で右にフリック操作すると、画面に表示されるアイコンが、矢示６０２０で示す方向へ流れるように移動する。このときの移動量は、フリック操作における指先の移動幅により定めても良いし、１回のフリック操作に対して予め設定される所定量としても良い。また、このアイコン表示領域６２００は、仮想円筒に表示されたように構成すると、アイコンを無端状で切り換えて表示させることができる。
【０１４２】
メモ表示領域６４００には、この画像形成装置１００のユーザ全般に知らせたいメンテナンス情報等が表示される。
【０１４３】
図７を参照して、図６に示したホーム画面６０００におけるアイコンの配置について説明する。図７に示すように、タッチパネルディスプレイ１３０に図６に示すホーム画面６０００が表示されている場合には、その中央の領域Ａにコピーモードを選択するためのアイコン６２４２が配置され、そのすぐ下に（最もユーザに近い側に）画像送信系の動作モードを包括的に選択するためのアイコン６２４４が配置されている。このアイコン６２４４が配置されるドーナツ形状の領域Ｂには、直接的に画像送信系の動作モードを選択するためのアイコン６２３０、アイコン６２３２、アイコン６２３４、アイコン６２４０、アイコン６２５０、アイコン６２５２、アイコン６２５４が、同心円状に配置されている。さらに領域Ｂの外側に設けられる領域Ｃに別のアイコン群を配置することも可能である。
【０１４４】
この図７に示すように、ホーム画面６０００には、ユーザが要求する動作モードの画面へ直接的に遷移させるダイレクトアイコン（アイコン６２４２、アイコン６２３０、アイコン６２３２、アイコン６２３４、アイコン６２４０、アイコン６２５０、アイコン６２５２、アイコン６２５４）と、複数ある画像送信経路の中で優先的に表示する画像送信系モードとして予め設定された動作モード（ここではＦＡＸモードとする。）の画面へ遷移させる包括アイコン（アイコン６２４４）とを設けている。中央の領域Ａにコピーモードの画面へ遷移するためアイコン６２４２が表示されている場合に、その周囲である領域Ｂに画像送信系の動作モードの画面へ遷移するためのアイコンを設け、画像送信系のアイコンの中の包括アイコン（アイコン６２４４）を最もユーザに近い下側（手で他のダイレクトアイコンが隠れないよう）に配置している。これにより、従来のＭＦＰのように包括アイコンから終局的な動作モードを選択していく操作設定経路と、本実施の形態に係る画像形成装置１００のようにハードウェアボタンを備えず直接的に動作モードを選択する操作設定経路とを備えるので、従来のユーザであっても新たなユーザであっても、本実施の形態に係る画像形成装置１００の動作モード選択に戸惑うことがなくなる。さらに、画像形成装置１００からの出力結果が異なるコピーモードと画像送信系モードとを大きく区別して表示しているので（コピーモードは中央でその周囲に画像送信系を配置）、動作モード選択に戸惑うことがなくなる。さらに、従来のＭＦＰの感覚で画像送信系の動作モードの選択が可能な包括アイコンをユーザ側に配置することにより、従来のユーザが従来の感覚で包括アイコンを操作する際に、ダイレクトアイコンがユーザ自身の手で隠れないで見えるので、新たな操作仕様（直接的に動作モードを選択）に気付くことができる。気付いたユーザが新たな操作仕様を試すことにより、新たな操作仕様に慣れることができる。
【０１４５】
−各動作モードの初期画面表示動作−
・コピーモード
図６に示すアイコン６２４２をユーザが指先でタッチ操作、タップ操作またはダブルタップ操作すると、動作モードが選択されたと判定され（Ｓ１００４０にてＹＥＳ）、選択された動作モードが画像送信系でないと判定される（Ｓ１００５０にてＮＯ）。ハードディスク３０２等から読出したコピー初期画面データを用いてタッチパネルディスプレイ１３０にコピーモードの初期画面が表示される（Ｓ１００８０、Ｓ１００９０）。このとき、タッチパネルディスプレイ１３０には、コピーモード初期画面が表示される。
【０１４６】
・メールモード
図６に示すアイコン６２３０をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したメールモード初期画面データを用いてタッチパネルディスプレイ１３０にメールモードの初期画面が表示される（Ｓ１００８０、Ｓ１００９０）。このとき、たとえば、タッチパネルディスプレイ１３０には、図８に示すメールモード初期画面が表示される。図８に示すように、メールモード初期画面７２００は、上述したレイアウト構成の５領域に分割されて情報が表示される。
【０１４７】
図８を参照して、メールモード初期画面７２００のシステム領域１０００には、選択されている動作モード（ここではメールモード）を示すエリア１２０２、選択された動作モードに付随するサブ情報を表示するエリア１２０４、ログインユーザ名を表示するエリア１２０６、ログアウトボタン（ソフトウェアボタン）が表示されるエリア１２０８、通信状態が表示されるエリア１２１４、現在時刻が表示されるエリア１２１６が配置されている。
【０１４８】
エリア１２０４には、サブ情報として、ジョブを追加する場合のキー（ソフトウェアボタン）が表示される。この割り込みキーをタッチ操作、タップ操作またはダブルタップ操作すると、メールモードにおいて追加するジョブを指定する処理を実行することができる。
【０１４９】
メールモード初期画面７２００の機能選択領域２０００には、メールモードにおいてユーザが選択できる機能選択メニューおよび上述した変更ボタン群２０１０が表示されている。図８に示す画面では、レギュラーモードで機能選択メニューが表示されている。
【０１５０】
図８に示すように、レギュラーモードで表示される機能選択メニューは、アイコン群２２００とテキスト群２２２０とで構成される。この機能選択領域２０００に表示される機能選択メニューとして、メールの添付ファイルで送信する原稿のカラーモードを設定するアイコン２２０２および設定された内容を表示するテキスト２２２２、メールの添付ファイルで送信する原稿の濃度を設定するアイコン２２０４および設定された内容を表示するテキスト２２２４、メールの添付ファイルで送信する原稿の倍率を設定するアイコン２２０６および設定された内容を表示するテキスト２２２６、メールの添付ファイルで送信する原稿の種類を設定するアイコン２２０８および設定された内容を表示するテキスト２２２８が表示されている。
【０１５１】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１５２】
さらに、機能選択メニューに加えて、メールモード初期画面７２００の機能選択領域２０００には、メールアドレスを指定するときのアドレス帳を表示するためのボタン２２４０、メールの件名を指定するためのボタン２２４２、メールに添付するファイルを指定するためのボタン２２４４、メールの本文を入力するためのボタン２２４６が表示されている。
【０１５３】
ボタン２２４０をタッチ操作、タップ操作またはダブルタップ操作すると、この画像形成装置１００に記憶されたアドレス帳の中で、メールアドレスが記憶されている宛先のみを抽出したアドレス帳が表示される。
【０１５４】
ボタン２２４２をタッチ操作、タップ操作またはダブルタップ操作するとテキスト入力画面が表示されてメールの件名を入力することができ、ボタン２２４４をタッチ操作、タップ操作またはダブルタップ操作するとファイル名指定画面が表示されてファイル名を指定することができ、ボタン２２４６をタッチ操作、タップ操作またはダブルタップ操作するとテキスト入力画面が表示されてメールの本文を入力することができる。
【０１５５】
メールモード初期画面７２００のプレビュー領域３０００には、原稿の出力（仕上がり）イメージ３２００が配置されている。このとき、ダミーデータまたはスキャンデータを用いてイメージ３２００が表示され、ユーザが機能選択領域２０００の機能設定メニューを変更する毎に、イメージ３２００が変更されてプレビュー領域３０００に表示される（プレビューの表示が変更）。
【０１５６】
さらに、イメージ３２００に加えて、メールモード初期画面７２００のプレビュー領域３０００には、メール宛先を入力するためのボタン３２０２が表示されている。このボタン３２０２をタッチ操作、タップ操作またはダブルタップ操作するとテキスト入力画面が表示されてメールの宛先を直接入力することができたり、アドレス帳から選択したりすることができる。さらに、メールモード初期画面７２００のプレビュー領域３０００には、宛先の種類を指定するためのエリア３２０４が表示されている。このエリア３２０４をユーザが操作して、送信先の種類（宛先、ＣＣの宛先、ＢＣＣの宛先）を指定する。
【０１５７】
メールモード初期画面７２００のアクションパネル領域４０００には、メール操作についての補助・助言・提案についての情報が表示されている。ここでは、図８に示すように、このユーザが選択したメールモードにおけるおすすめ機能が表示される。このとき、アクションパネル領域４０００は、表示されている情報の内容を示すエリア４２００、それ自体がソフトウェアボタンとしておすすめ機能をテキスト表示するエリア４２０２〜エリア４２０４が配置されている。
【０１５８】
エリア４２０２をタッチ操作、タップ操作またはダブルタップ操作すると、同報メール送信についてのさらに詳細な情報がプルダウン表示されたり、エリア４２０４をタッチ操作、タップ操作またはダブルタップ操作すると、メールに添付するデータのサイズを小さくする操作についてのさらに詳細な情報がプルダウン表示されたり、エリア４２０６をタッチ操作、タップ操作またはダブルタップ操作すると、メールに添付して送信する原稿をハードディスク３０２へ保存する操作についてのさらに詳細な情報がプルダウン表示されたりする。
【０１５９】
メールモード初期画面７２００のタスクトリガー領域５０００には、実行ボタン群５２００が表示される。この実行ボタン群５２００として、原稿をスキャンして画像データを取得するように画像形成装置１００を作動させるスキャンインキー（ソフトウェアボタン）５２０２、設定した機能をクリアするクリアオールキー（ソフトウェアボタン）５２０４、原稿をスキャンしてメールに添付して送信する処理を実行するように画像形成装置１００を作動させる送信スタートキー（ソフトウェアボタン）５２０６が配置されている。
【０１６０】
このように、５つの領域に分割して情報が表示されたメールモード初期画面７２００において、ユーザが要求を入力すると（Ｓ１０１００にてＹＥＳ）、その要求に従ってメール処理が実行される（Ｓ１０１１０）。
【０１６１】
・ＦＡＸモード
図６に示すアイコン６２３４をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したＦＡＸ初期画面データを用いてタッチパネルディスプレイ１３０にＦＡＸモードの初期画面が表示される（Ｓ１００８０、Ｓ１００９０）。
【０１６２】
ここで、本実施の形態に係る画像形成装置１００においては、包括送信モードとして予めＦＡＸモードが設定されている。図６に示すアイコン６２４４をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定であると判定されて（Ｓ１００６０にてＹＥＳ）、包括送信モードとして設定された動作モード（ここではＦＡＸモード）が取得される（Ｓ１００７０）。ハードディスク３０２等から読出したＦＡＸ初期画面データを用いてタッチパネルディスプレイ１３０にＦＡＸモードの初期画面が表示される（Ｓ１００８０、Ｓ１００９０）。
【０１６３】
このとき、たとえば、タッチパネルディスプレイ１３０には、図９に示すＦＡＸモード初期画面７３００が表示される。図９に示すように、ＦＡＸモード初期画面７３００は、上述したレイアウト構成の５領域に分割されて情報が表示される。
【０１６４】
図９を参照して、ＦＡＸモード初期画面７３００のシステム領域１０００には、選択されている動作モード（ここではＦＡＸモード）を示すエリア１３０２、選択された動作モードに付随するサブ情報を表示するエリア１３０４、ログインユーザ名を表示するエリア１３０６、ログアウトボタン（ソフトウェアボタン）が表示されるエリア１３０８、オンフック時の音量調整ボタンを表示するエリア１３１０、メモリの残量を表示するエリア１３１２、通信状態が表示されるエリア１３１４、現在時刻が表示されるエリア１３１６が配置されている。
【０１６５】
エリア１３０４には、サブ情報として、ジョブを追加する場合のキー（ソフトウェアボタン）が表示される。この割り込みキーをタッチ操作、タップ操作またはダブルタップ操作すると、ＦＡＸモードにおいて追加するジョブを指定する処理を実行することができる。
【０１６６】
エリア１３１０に表示される音量調整ボタンをタッチ操作、タップ操作またはダブルタップ操作すると、オンフック時の音量調整用のスライドバーが表示される。
【０１６７】
ＦＡＸモード初期画面７３００の機能選択領域２０００には、ＦＡＸモードにおいてユーザが選択できる機能選択メニューおよび上述した変更ボタン群２０１０が表示されている。図９に示す画面では、レギュラーモードで機能選択メニューが表示されている。
【０１６８】
図９に示すように、レギュラーモードで表示される機能選択メニューは、アイコン群２３００とテキスト群２３２０とで構成される。この機能選択領域２０００に表示される機能選択メニューとして、ＦＡＸ原稿の濃度を設定するアイコン２３０２および設定された内容を表示するテキスト２３２２、ＦＡＸ原稿の種類を設定するアイコン２３０４および設定された内容を表示するテキスト２３２４、画像を編集するアイコン２３０６および設定された内容を表示するテキスト２３２６、レイアウトを編集するアイコン２３０８および設定された内容を表示するテキスト２３２８、ＦＡＸの通信結果表を表示するアイコン２３１０およびそのテキスト２３３０、ＦＡＸ発信元の情報をＦＡＸ原稿に印字するアイコン２３１２およびそのテキスト２３３２、メモリボックスに記憶された情報を表示するアイコン２３１４およびそのテキスト２３３４が表示されている。
【０１６９】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１７０】
さらに、機能選択メニューに加えて、ＦＡＸモード初期画面７３００の機能選択領域２０００には、ＦＡＸの宛先の電話番号を指定するときのアドレス帳を表示するためのボタン２３４０が表示されている。
【０１７１】
ボタン２３４０をタッチ操作、タップ操作またはダブルタップ操作すると、この画像形成装置１００に記憶されたアドレス帳の中で、ＦＡＸ電話番号が記憶されている宛先のみを抽出したアドレス帳が表示される。
【０１７２】
ＦＡＸモード初期画面７３００のプレビュー領域３０００には、原稿の出力（仕上がり）イメージ３３００が配置されている。このとき、ダミーデータまたはスキャンデータを用いてイメージ３３００が表示され、ユーザが機能選択領域２０００の機能設定メニューを変更する毎に、イメージ３３００が変更されてプレビュー領域３０００に表示される（プレビューの表示が変更）。
【０１７３】
さらに、イメージ３３００に加えて、ＦＡＸモード初期画面７３００のプレビュー領域３０００には、入力されたＦＡＸ宛先を表示するためのエリア３３０２およびファクス番号の入力を促すメッセージを表示するエリア３３０４が表示されている。さらに、ＦＡＸモード初期画面７３００のプレビュー領域３０００には、ＦＡＸ宛先の電話番号を入力する数字キーを表示するためのエリア３３０６が表示されている。このエリア３３０６をユーザが操作して、送信先であるＦＡＸ宛先の電話番号を入力する。なお、ＦＡＸ宛先が１件も入力されていない場合には、エリア３３０２に、メール宛先を入力するためのボタンが表示されている。このボタンをタッチ操作、タップ操作またはダブルタップ操作するとテキスト入力画面が表示されてメールの宛先を数字キーで直接入力することができたり、アドレス帳から選択したりすることができる。
【０１７４】
ＦＡＸモード初期画面７３００のアクションパネル領域４０００には、ＦＡＸ操作についての補助・助言・提案についての情報が表示されている。ここでは、図９に示すように、このユーザが選択したＦＡＸモードにおけるおすすめ機能が表示される。このとき、アクションパネル領域４０００は、表示されている情報の内容を示すエリア４３００、それ自体がソフトウェアボタンとしておすすめ機能をテキスト表示するエリア４３０２〜エリア４３０４が配置されている。
【０１７５】
エリア４３０２をタッチ操作、タップ操作またはダブルタップ操作すると、同報ＦＡＸ送信についてのさらに詳細な情報がプルダウン表示されたり、エリア４３０４をタッチ操作、タップ操作またはダブルタップ操作すると、ＦＡＸ送信するデータのサイズを小さくする操作についてのさらに詳細な情報がプルダウン表示されたり、エリア４３０６をタッチ操作、タップ操作またはダブルタップ操作すると、送信するＦＡＸ原稿をハードディスク３０２へ保存する操作についてのさらに詳細な情報がプルダウン表示されたりする。
【０１７６】
ＦＡＸモード初期画面７３００のタスクトリガー領域５０００には、実行ボタン群５３００が表示される。この実行ボタン群５３００として、原稿をスキャンして画像データを取得するように画像形成装置１００を作動させるスキャンインキー（ソフトウェアボタン）５３０２、設定した機能をクリアするクリアオールキー（ソフトウェアボタン）５３０４、原稿をスキャンしてＦＡＸ送信する処理を実行するように画像形成装置１００を作動させる送信スタートキー（ソフトウェアボタン）５３０６、直接送信するためのチェックボックス５３０８が配置されている。
【０１７７】
このように、５つの領域に分割して情報が表示されたＦＡＸモード初期画面７３００において、ユーザが要求を入力すると（Ｓ１０１００にてＹＥＳ）、その要求に従ってＦＡＸ処理が実行される（Ｓ１０１１０）。
【０１７８】
・ｉ−ＦＡＸモード
【０１７９】
図６に示すアイコン６２３２をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したｉ−ＦＡＸ初期画面データを用いてタッチパネルディスプレイ１３０にｉ−ＦＡＸモードの初期画面が表示される（Ｓ１００８０、Ｓ１００９０）。このとき、たとえば、タッチパネルディスプレイ１３０には、図１０に示すｉ−ＦＡＸモード初期画面７４００が表示される。図１０に示すように、ｉ−ＦＡＸモード初期画面７４００は、上述したレイアウト構成の５領域に分割されて情報が表示される。
【０１８０】
図１０を参照して、ｉ−ＦＡＸモード初期画面７４００のシステム領域１０００には、選択されている動作モード（ここではｉ−ＦＡＸモード）を示すエリア１４０２、選択された動作モードに付随するサブ情報を表示するエリア１４０４、ログインユーザ名を表示するエリア１４０６、ログアウトボタン（ソフトウェアボタン）が表示されるエリア１４０８、メモリの残量を表示するエリア１４１２、通信状態が表示されるエリア１４１４、現在時刻が表示されるエリア１４１６が配置されている。
【０１８１】
エリア１４０４には、サブ情報として、ジョブを追加する場合のキー（ソフトウェアボタン）が表示される。この割り込みキーをタッチ操作、タップ操作またはダブルタップ操作すると、ｉ−ＦＡＸモードにおいて追加するジョブを指定する処理を実行することができる。
【０１８２】
ｉ−ＦＡＸモード初期画面７４００の機能選択領域２０００には、ｉ−ＦＡＸモードにおいてユーザが選択できる機能選択メニューおよび上述した変更ボタン群２０１０が表示されている。図１０に示す画面では、レギュラーモードで機能選択メニューが表示されている。
【０１８３】
図１０に示すように、レギュラーモードで表示される機能選択メニューは、アイコン群２４００とテキスト群２４２０とで構成される。この機能選択領域２０００に表示される機能選択メニューとして、ｉ−ＦＡＸ原稿の濃度を設定するアイコン２４０２および設定された内容を表示するテキスト２４２２、ｉ−ＦＡＸ原稿の種類を設定するアイコン２４０４および設定された内容を表示するテキスト２４２４、画像を編集するアイコン２４０６および設定された内容を表示するテキスト２３４６、レイアウトを編集するアイコン２４０８および設定された内容を表示するテキスト２４２８、ｉ−ＦＡＸの通信結果表を表示するアイコン２４１０およびそのテキスト２４３０、ｉ−ＦＡＸにおける解像度を表示するアイコン２４１２およびそのテキスト２４３２、ｉ−ＦＡＸにおけるフォーマットを表示するアイコン２４１４およびそのテキスト２４３４が表示されている。なお、これらの設定項目は一例であって、この画像形成装置１００のｉ−ＦＡＸモードで使用可能な画像フォーマット（ＲＦＣ２３０１、２３０５、２５３２等で規定されているフォーマット）により表示される設定項目が異なる。
【０１８４】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１８５】
さらに、機能選択メニューに加えて、ｉ−ＦＡＸモード初期画面７４００の機能選択領域２０００には、ｉ−ＦＡＸの宛先のメールアドレスを指定するときのアドレス帳を表示するためのボタン２４４０が表示されている。
【０１８６】
ボタン２４４０をタッチ操作、タップ操作またはダブルタップ操作すると、この画像形成装置１００に記憶されたアドレス帳の中で、ｉ−ＦＡＸ送信先としてメールアドレスが記憶されている宛先のみを抽出したアドレス帳が表示される。
【０１８７】
ｉ−ＦＡＸモード初期画面７４００のプレビュー領域３０００には、原稿の出力（仕上がり）イメージ３４００が配置されている。このとき、ダミーデータまたはスキャンデータを用いてイメージ３４００が表示され、ユーザが機能選択領域２０００の機能設定メニューを変更する毎に、イメージ３４００が変更されてプレビュー領域３０００に表示される（プレビューの表示が変更）。
【０１８８】
さらに、イメージ３４００に加えて、ｉ−ＦＡＸモード初期画面７４００のプレビュー領域３０００には、ｉ−ＦＡＸの宛先を入力するためのボタン３４０２が表示されている。このボタン３４０２をタッチ操作、タップ操作またはダブルタップ操作するとテキスト入力画面が表示されてｉ−ＦＡＸの宛先を直接入力することができたり、アドレス帳から選択したりすることができる。さらに、ｉ−ＦＡＸモード初期画面７４００のプレビュー領域３０００には、宛先に適用する項目を指定するためのエリア３４０４が表示されている。このエリア３４０４をユーザが操作して、送信に適用される項目（ｉ−ＦＡＸ、ダイレクトＳＭＴＰ）を指定する。
【０１８９】
ｉ−ＦＡＸモード初期画面７４００のアクションパネル領域４０００には、ｉ−ＦＡＸ操作についての補助・助言・提案についての情報が表示されている。ここでは、図１０に示すように、このユーザが選択したｉ−ＦＡＸモードにおけるおすすめ機能が表示される。このとき、アクションパネル領域４０００は、表示されている情報の内容を示すエリア４４００、それ自体がソフトウェアボタンとしておすすめ機能をテキスト表示するエリア４４０２が配置されている。エリア４４０２をタッチ操作、タップ操作またはダブルタップ操作すると、ｉ−ＦＡＸ手動受信についてのさらに詳細な情報がプルダウン表示される。
【０１９０】
ｉ−ＦＡＸモード初期画面７４００のタスクトリガー領域５０００には、実行ボタン群５４００が表示される。この実行ボタン群５４００として、原稿をスキャンして画像データを取得するように画像形成装置１００を作動させるスキャンインキー（ソフトウェアボタン）５２０２、設定した機能をクリアするクリアオールキー（ソフトウェアボタン）５２０４、原稿をスキャンしてｉ−ＦＡＸ送信する処理を実行するように画像形成装置１００を作動させる送信スタートキー（ソフトウェアボタン）５２０６が配置されている。
【０１９１】
このように、５つの領域に分割して情報が表示されたｉ−ＦＡＸモード初期画面７４００において、ユーザが要求を入力すると（Ｓ１０１００にてＹＥＳ）、その要求に従ってｉ−ＦＡＸ処理が実行される（Ｓ１０１１０）。
【０１９２】
・共有フォルダモード
図６に示すアイコン６２５４をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出した共有フォルダ初期画面データを用いてタッチパネルディスプレイ１３０に共有フォルダモードの初期画面が表示される（Ｓ１００８０、Ｓ１００９０）。このとき、たとえば、タッチパネルディスプレイ１３０には、図１１に示す共有フォルダモード初期画面７５００が表示される。図１１に示すように、共有フォルダモード初期画面７５００は、上述したレイアウト構成の５領域に分割されて情報が表示される。なお、図１１に示す共有フォルダモード初期画面７５００の構成については後述する。
【０１９３】
・データ入力モード
図６に示すアイコン６２５２をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したデータ入力初期画面データを用いてタッチパネルディスプレイ１３０にデータ入力モードの初期画面が表示される（Ｓ１００８０、Ｓ１００９０）。このとき、たとえば、タッチパネルディスプレイ１３０には、図１２に示すデータ入力モード初期画面７６００が表示される。図１２に示すように、データ入力モード初期画面７６００は、上述したレイアウト構成の５領域に分割されて情報が表示される。なお、図１２に示すデータ入力モード初期画面７６００の構成については後述する。
【０１９４】
・ＦＴＰモード
図６に示すアイコン６２４０をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したＦＴＰ初期画面データを用いてタッチパネルディスプレイ１３０にＦＴＰモードの初期画面が表示される（Ｓ１００８０、Ｓ１００９０）。このとき、たとえば、タッチパネルディスプレイ１３０には、図１３に示すＦＴＰモード初期画面７７００が表示される。図１３に示すように、ＦＴＰモード初期画面７７００は、上述したレイアウト構成の５領域に分割されて情報が表示される。なお、図１３に示すＦＴＰモード初期画面７７００の構成については後述する。
【０１９５】
・デスクトップモード
図６に示すアイコン６２５０をユーザが指先でタッチ操作、タップ操作またはダブルタップ操作すると、動作モードが選択されたと判定され（Ｓ１００４０にてＹＥＳ）、選択された動作モードが画像送信系であると判定される（Ｓ１００５０にてＹＥＳ）。さらに、包括指定ではないと判定されて（Ｓ１００６０にてＮＯ）、ハードディスク３０２等から読出したデスクトップ初期画面データを用いてタッチパネルディスプレイ１３０にデスクトップモードの初期画面が表示される（Ｓ１００８０、Ｓ１００９０）。このとき、たとえば、タッチパネルディスプレイ１３０には、図１４に示すデスクトップモード初期画面７８００が表示される。図１４に示すように、デスクトップモード初期画面７８００は、上述したレイアウト構成の５領域に分割されて情報が表示される。なお、図１４に示すデスクトップモード初期画面７８００の構成については後述する。
【０１９６】
・画面構成
図１１に示す共有フォルダモード初期画面７５００の構成、図１２に示すデータ入力モード初期画面７６００の構成、図１３に示すＦＴＰモード初期画面７７００の構成、および図１４に示すデスクトップモード初期画面７８００の構成について説明する。
【０１９７】
図１１を参照して、共有フォルダモード初期画面７５００のシステム領域１０００には、選択されている動作モード（ここでは共有フォルダモード）を示すエリア１５０２、ログインユーザ名を表示するエリア１５０６、ログアウトボタン（ソフトウェアボタン）が表示されるエリア１５０８、現在実行中のジョブ状況を表示するエリア１５１０、ジョブ状況に関係するボタン（ソフトウェアボタン）が表示されるエリア１５１２、通信状態が表示されるエリア１５１４、現在時刻が表示されるエリア１５１６が配置されている。
【０１９８】
エリア１５０６には、現在実行中のジョブ状況がアイコンで表示される。このジョブ状況をタッチ操作、タップ操作またはダブルタップ操作すると、詳細なジョブ状況情報が表示される。さらに、エリア１５１２には、選択されたジョブを停止させるボタン等を表示することも好ましい。
【０１９９】
共有フォルダモード初期画面７５００の機能選択領域２０００には、共有フォルダモードにおいてユーザが選択できる機能選択メニューおよび上述した変更ボタン群２０１０が表示されている。図１１に示す画面では、レギュラーモードで機能選択メニューが表示されている。
【０２００】
図１１に示すように、レギュラーモードで表示される機能選択メニューは、アイコン群２５００とテキスト群２５２０とで構成される。この機能選択領域２０００に表示される機能選択メニューとして、共有フォルダモードでの送信条件の詳細を設定するアイコン２５０２および設定された内容を表示するテキスト２５２２、共有フォルダモードでのカラーモードを設定するアイコン２５０４および設定された内容を表示するテキスト２５２４、共有フォルダモードでの濃度を設定するアイコン２５０６および設定された内容を表示するテキスト２５２６、共有フォルダモードでの倍率を設定するアイコン２５０８および設定された内容を表示するテキスト２５２８、共有フォルダモードでの解像度を設定するアイコン２５１０および設定された内容を表示するテキスト２５３０、共有フォルダモードでのフォーマットを設定するアイコン２５１２および設定された内容を表示するテキスト２５３２、共有フォルダモードでの特別機能を設定するアイコン２５１４および設定された内容を表示するテキスト２５３４、共有フォルダモードでのレイアウトを編集するアイコン２５１６および設定された内容を表示するテキスト２５３６が表示されている。
【０２０１】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０２０２】
共有フォルダモード初期画面７５００のプレビュー領域３０００には、共有フォルダモードにおける送信先を入力するためのボタン３５０２が表示されている。このボタン３５０２をタッチ操作、タップ操作またはダブルタップ操作するとエリア３５０４が表示される。このエリア３５０４をユーザが操作して、送信先についての情報（フォルダ名、ユーザ名、パスワード）を指定する。
【０２０３】
共有フォルダモード初期画面７５００のアクションパネル領域４０００には、共有フォルダ操作についての補助・助言・提案についての情報が表示されている。ここでは、図１１に示すように、このユーザが選択した共有フォルダモードにおけるおすすめ機能が表示される。このとき、アクションパネル領域４０００は、表示されている情報の内容を示すエリア４５００、それ自体がソフトウェアボタンとしておすすめ機能をテキスト表示するエリア４５０２が配置されている。エリア４５０２をタッチ操作、タップ操作またはダブルタップ操作すると、受信しているデータについてのさらに詳細な情報がプルダウン表示される。
【０２０４】
共有フォルダモード初期画面７５００のタスクトリガー領域５０００には、実行ボタン群５５００が表示される。この実行ボタン群５５００として、原稿をスキャンして画像データを取得するように画像形成装置１００を作動させるスキャンインキー（ソフトウェアボタン）５２０２、設定した機能をクリアするクリアオールキー（ソフトウェアボタン）５２０４、原稿をスキャンして共有フォルダ送信する処理を実行するように画像形成装置１００を作動させる送信スタートキー（ソフトウェアボタン）５２０６が配置されている。
【０２０５】
このように、５つの領域に分割して情報が表示された共有フォルダモード初期画面７５００において、ユーザが要求を入力すると（Ｓ１０１００にてＹＥＳ）、その要求に従って共有フォルダ処理が実行される（Ｓ１０１１０）。
【０２０６】
以下においては、この図１１との差異について説明する。
【０２０７】
図１２を参照して、データ入力モード初期画面７６００のシステム領域１０００には、選択されている動作モード（ここではデータ入力モード）を示すエリア１６０２が表示されている。データ入力モード初期画面７６００のプレビュー領域３０００には、宛先に適用する項目を指定するためのエリア３６０４が表示されている。このエリア３６０４をユーザが操作して、送信に適用される項目（Ｅ−ｍａｉｌ、共有フォルダ、ダイレクトＳＭＴＰ）を指定する。データ入力モード初期画面７６００のアクションパネル領域４０００には、データ入力操作についての補助・助言・提案についての情報が表示されている。ここでは、図１２に示すように、このユーザが選択したデータ入力モードにおけるおすすめ機能が表示される。このとき、アクションパネル領域４０００は、表示されている情報の内容を示すエリア４６００、それ自体がソフトウェアボタンとしておすすめ機能をテキスト表示するエリア４６０２が配置されている。エリア４６０２をタッチ操作、タップ操作またはダブルタップ操作すると、メタデータの設定についてのさらに詳細な情報がプルダウン表示される。
【０２０８】
このように、５つの領域に分割して情報が表示されたデータ入力モード初期画面７６００において、ユーザが要求を入力すると（Ｓ１０１００にてＹＥＳ）、その要求に従ってデータ入力処理が実行される（Ｓ１０１１０）。
【０２０９】
図１３を参照して、ＦＴＰモード初期画面７７００のシステム領域１０００には、選択されている動作モード（ここではＦＴＰモード）を示すエリア１７０２が表示されている。ＦＴＰモード初期画面７７００のアクションパネル領域４０００には、ＦＴＰ操作についての補助・助言・提案についての情報が表示されている。ここでは、図１３に示すように、このユーザが選択したＦＴＰモードにおけるおすすめ機能が表示される。このとき、アクションパネル領域４０００は、表示されている情報の内容を示すエリア４７００、それ自体がソフトウェアボタンとしておすすめ機能をテキスト表示するエリア４７０２が配置されている。エリア４７０２をタッチ操作、タップ操作またはダブルタップ操作すると、受信しているデータについてのさらに詳細な情報がプルダウン表示される。
【０２１０】
このように、５つの領域に分割して情報が表示されたＦＴＰモード初期画面７７００において、ユーザが要求を入力すると（Ｓ１０１００にてＹＥＳ）、その要求に従ってＦＴＰ処理が実行される（Ｓ１０１１０）。
【０２１１】
図１４を参照して、デスクトップモード初期画面７８００のシステム領域１０００には、選択されている動作モード（ここではデスクトップモード）を示すエリア１８０２が表示されている。
【０２１２】
このように、５つの領域に分割して情報が表示されたデスクトップモード初期画面７８００において、ユーザが要求を入力すると（Ｓ１０１００にてＹＥＳ）、その要求に従ってデスクトップ処理が実行される（Ｓ１０１１０）。
【０２１３】
−ＦＡＸモードにおける動作モード変更−
以下においては、動作モードがＦＡＸモードである場合について説明するが、他の画像送信系の動作モードにおいても同じように動作する。すなわち、現在の動作モードを示すエリアをユーザがタッチ操作すると、動作モード変更画面がポップアップ形式で表示されて他の画像送信系の動作モードへ移行できる。
【０２１４】
図１５に示すように、ＦＡＸモード初期画面がタッチパネルディスプレイ１３０に表示されている場合に、ＦＡＸモードが選択されていることを示すエリア１３０２をユーザがタッチ操作、タップ操作またはダブルタップ操作すると、画像送信系の動作モードを変更する要求を検出する（Ｓ１０１３０にてＹＥＳ）。なお、図８のエリア１２０２、図１０のエリア１４０２、図１１のエリア１５０２、図１２のエリア１６０２、図１３のエリア１７０２および図１４のエリア１８０２のいずれかのエリアを、ユーザがタッチ操作、タップ操作またはダブルタップ操作しても、同じように動作モードを変更する要求を検出する（Ｓ１０１３０にてＹＥＳ）。さらに、これ以外のエリアをユーザがタッチ操作、タップ操作またはダブルタップ操作したことにより、動作モードを変更する要求を検出したと判定するようにしても構わない。
【０２１５】
図１６に示すように、タッチパネルディスプレイ１３０に、動作モード変更画面がポップアップ形式で表示される（Ｓ１０１４０）。図１６に示すように、このポップアップ画面には、この画像形成装置１００が備える画像送信系の動作モードが、それ自体がソフトウェアボタンとして表示される。このとき、現在選択されている動作モードを、含めないように表示しても、含めて表示しても構わない。また、このポップアップ画面には、ポップアップ画面を閉じるアイコン（×）も表示される。
【０２１６】
ユーザが、ポップアップ画面に表示された画像送信系の動作モードの中の１つをタッチ操作、タップ操作またはダブルタップ操作すると、動作モードが選択されたと判定されて（Ｓ１０１５０にてＹＥＳ）、選択された動作モードの初期画面データがハードディスク３０２等から読出され（Ｓ１００８０）、選択された動作モードの初期画面がタッチパネルディスプレイ１３０に表示される（Ｓ１００９０）。
【０２１７】
以上のようにして、本実施の形態に係る画像形成装置においては、
（１）動作モードを選択するホーム画面において、ユーザが要求する動作モードの画面へ直接的に遷移させるダイレクトアイコンと、複数ある画像送信経路の中で包括的または優先的に表示する画像送信系モードとして予め設定された動作モード（たとえばＦＡＸモード）の画面へ遷移させる包括アイコンとを設けた。
（２）中央部にコピーモードの画面へ遷移するためアイコンが表示されている場合に、その周囲の領域に画像送信系の動作モードの画面へ遷移するためのアイコンを設け、画像送信系のアイコンの中の包括アイコンを最もユーザに近い下側に配置した。
（３）画像送信系モードを選択すると表示される条件設定画面において、他の画像送信系モードへ移行するためのソフトウェアボタン（包括アイコンで一旦優先される動作モードへ移行した後に他の動作モードへ移行）を設けた。
【０２１８】
これにより、
（Ａ）従来の画像形成装置のハードウェアボタンのように包括アイコン（優先アイコン）を経由して、画像送信系のＦＡＸモードへ移行してから他の画像送信系のメールモードを選択していく操作設定経路と、本実施の形態に係る画像形成装置のようにハードウェアボタンを備えず直接的に動作モードを選択する操作設定経路とを備えるので、従来ユーザであっても新ユーザであっても本実施の形態に係る画像形成装置の動作モード選択に戸惑うことがなくなる。
（Ｂ）さらに、コピーモードと画像送信系モードとを大きく区別して表示しているので動作モード選択に戸惑うことがなくなる。
（Ｃ）さらに、従来の画像形成装置の感覚で画像送信系の動作モードの選択が可能な包括アイコンをユーザ側に配置することにより、従来のユーザが従来の感覚で包括アイコンを操作する際に、ダイレクトアイコンがユーザ自身の手で隠れないで見える。このため、新たな操作仕様（直接的に動作モードを選択）に気付くことができる。気付いたユーザが新たな操作仕様を試すことにより、新たな操作仕様に慣れることができる。
【０２１９】
＜変形例＞
なお、上述した実施の形態においては、画像送信系の動作モードから、画像送信系の他の動作モードへ（ホーム画面を経由することなく）移行できると説明した。しかしながら、画像送信系の動作モードから非画像送信系の他の動作モードへ（ホーム画面を経由することなく）移行できるように構成しても、非画像送信系の動作モードから画像送信系の他の動作モードへ（ホーム画面を経由することなく）移行できるように構成しても、非画像送信系の動作モードから非画像送信系の他の動作モードへ（ホーム画面を経由することなく）移行できるように構成しても、動作モードの分類を問わないで選択中の動作モードから他の動作モードへホーム画面を経由することなく移行できるように構成しても、構わない。
【０２２０】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０２２１】
１００  画像形成装置
１２０  操作ユニット
１３０  タッチパネルディスプレイ
１３２  表示パネル
１３４  タッチパネル
１４０  表示操作部
１４２  表示灯
１４４  電源キー
１４６  省エネキー
１４８  ホームキー
３００  ＣＰＵ
３０２  ハードディスク
３０４  ネットワークインターフェイス
３０６  ＲＯＭ
３０８  ＲＡＭ
３１０  バス
【図１】
2011210009.tif 000003
【図２】
2011210009.tif 000004
【図３】
2011210009.tif 000005
【図４】
2011210009.tif 000006
【図５】
2011210009.tif 000007
【図６】
2011210009.tif 000008
【図７】
2011210009.tif 000009
【図８】
2011210009.tif 000010
【図９】
2011210009.tif 000011
【図１０】
2011210009.tif 000012
【図１１】
2011210009.tif 000013
【図１２】
2011210009.tif 000014
【図１３】
2011210009.tif 000015
【図１４】
2011210009.tif 000016
【図１５】
2011210009.tif 000017
【図１６】
2011210009.tif 000018
【手続補正書】
【提出日】平成23年3月31日(2011.3.31)
【手続補正１】
【補正対象書類名】明細書
【補正対象項目名】００１４
【補正方法】変更
【補正の内容】
【００１４】
【特許文献１】特開２００６−３０８８３１号公報
【特許文献２】特開２００１−１５４７７３号公報
【手続補正２】
【補正対象書類名】明細書
【補正対象項目名】００５２
【補正方法】変更
【補正の内容】
【００５２】
メールモードは、スキャンして作成された画像データを電子メールにより、指定された電子メールアドレスへ送信する。ｉ−ＦＡＸモードは、電子メールに画像データファイルを添付する形式でインターネットを経由して指定された電子メールアドレスへ送信する。なお、ｉ−ＦＡＸモードにおいては、メールサーバを介されないで、たとえば社内間で直接通信する、ダイレクトＳＭＴＰ（Ｓｉｍｐｌｅ  Ｍａｉｌ  Ｔｒａｎｓｆｅｒ  Ｐｒｏｔｏｃｏｌ）と呼ばれる機能を備える場合もある。共有フォルダモードは、スキャンして作成された画像データファイルをそのままのフォーマットで、その画像形成装置が接続された同一ネットワーク上のコンピュータの共有フォルダへ送信する。データ入力モードは、メタデータ送信とも呼ばれ、画像データファイルとは別に、予め登録しておいた情報を元にメタデータ（送信データの属性、処理方法等を示すデータ）を生成して送信する。ＦＴＰモードは、スキャンして作成された画像データファイルを、指定したＦＴＰ（Ｆｉｌｅ  Ｔｒａｎｓｆｅｒ  Ｐｒｏｔｏｃｏｌ）サーバのディレクトリへ、専用のプロトコルで送信する。デスクトップモードは、スキャンして作成された画像データファイルを、イントラネット上のパーソナルコンピュータへ送信する。
【手続補正３】
【補正対象書類名】明細書
【補正対象項目名】００５９
【補正方法】変更
【補正の内容】
【００５９】
画像形成装置１００においては、原稿載置台に置かれた原稿が原稿読取部１０２により画像データとして読取られ、読取られた画像データが図３に示すマイクロコンピュータ等から構成されるＣＰＵ（Ｃｅｎｔｒａｌ  Ｐｒｏｃｅｓｓｉｎｇ  Ｕｎｉｔ）３００に入力され、ここで画像データに各種の画像処理が施され、この画像データが画像形成部１０４へと出力される。
【手続補正４】
【補正対象書類名】明細書
【補正対象項目名】００７８
【補正方法】変更
【補正の内容】
【００７８】
画像形成装置１００においては、原稿載置台に置かれた原稿が原稿読取部１０２により画像データとして読取られ、読取られた画像データがＣＰＵ３００に入力され、ここで画像データに各種の画像処理が施される。この画像データが、この画像形成装置１００が備える記憶装置（後述するハードディスク３０２）に記憶される。画像データがｉ−ＦＡＸで使用可能なフォーマット（たとえば、ＴＩＦＦ（Ｔａｇｇｅｄ  Ｉｍａｇｅ  Ｆｉｌｅ  Ｆｏｒｍａｔ）−Ｆフォーマット）へ変換されて、変換されたデータファイルが電子メールに添付される。このような電子メールがネットワークインターフェイス３０４およびインターネットを経由して、他の画像形成装置またはコンピュータへ送信される。
【手続補正５】
【補正対象書類名】明細書
【補正対象項目名】００８１
【補正方法】変更
【補正の内容】
【００８１】
［画像形成装置：制御ブロック構成］
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【手続補正６】
【補正対象書類名】明細書
【補正対象項目名】０１７４
【補正方法】変更
【補正の内容】
【０１７４】
ＦＡＸモード初期画面７３００のアクションパネル領域４０００には、ＦＡＸ操作についての補助・助言・提案についての情報が表示されている。ここでは、図９に示すように、このユーザが選択したＦＡＸモードにおけるおすすめ機能が表示される。このとき、アクションパネル領域４０００は、表示されている情報の内容を示すエリア４３００、それ自体がソフトウェアボタンとしておすすめ機能をテキスト表示するエリア４３０２〜エリア４３０６が配置されている。
【手続補正７】
【補正対象書類名】明細書
【補正対象項目名】０１８３
【補正方法】変更
【補正の内容】
【０１８３】
図１０に示すように、レギュラーモードで表示される機能選択メニューは、アイコン群２４００とテキスト群２４２０とで構成される。この機能選択領域２０００に表示される機能選択メニューとして、ｉ−ＦＡＸ原稿の濃度を設定するアイコン２４０２および設定された内容を表示するテキスト２４２２、ｉ−ＦＡＸ原稿の種類を設定するアイコン２４０４および設定された内容を表示するテキスト２４２４、画像を編集するアイコン２４０６および設定された内容を表示するテキスト２４２６、レイアウトを編集するアイコン２４０８および設定された内容を表示するテキスト２４２８、ｉ−ＦＡＸの通信結果表を表示するアイコン２４１０およびそのテキスト２４３０、ｉ−ＦＡＸにおける解像度を表示するアイコン２４１２およびそのテキスト２４３２、ｉ−ＦＡＸにおけるフォーマットを表示するアイコン２４１４およびそのテキスト２４３４が表示されている。なお、これらの設定項目は一例であって、この画像形成装置１００のｉ−ＦＡＸモードで使用可能な画像フォーマット（ＲＦＣ（Ｒｅｑｕｅｓｔ  Ｆｏｒ  Ｃｏｍｍｅｎｔ）２３０１、２３０５、２５３２等で規定されているフォーマット）により表示される設定項目が異なる。
【手続補正８】
【補正対象書類名】明細書
【補正対象項目名】０２１５
【補正方法】変更
【補正の内容】
【０２１５】
図１６に示すように、タッチパネルディスプレイ１３０に、動作モード変更画面がポップアップ形式で表示される（Ｓ１０１４０）。図１６に示すように、このポップアップ画面７３６０には、この画像形成装置１００が備える画像送信系の動作モードが、それ自体がソフトウェアボタンとして表示される。このとき、現在選択されている動作モードを、含めないように表示しても、含めて表示しても構わない。また、このポップアップ画面７３６０には、ポップアップ画面７３６０を閉じるアイコン（×）も表示される。
【手続補正９】
【補正対象書類名】図面
【補正対象項目名】図９
【補正方法】変更
【補正の内容】
【図９】
2011210009.tif 000019
【手続補正１０】
【補正対象書類名】図面
【補正対象項目名】図１５
【補正方法】変更
【補正の内容】
【図１５】
2011210009.tif 000020
【手続補正１１】
【補正対象書類名】図面
【補正対象項目名】図１６
【補正方法】変更
【補正の内容】
【図１６】
2011210009.tif 000021